(57)【要約】  【課題】  表示入力階調の複数階調について白色画面を表示して求めた輝度（白色輝度、単色輝度）、白色度に基づいて複数色（ＲＧＢ各色）の変換テーブルの較正を行うことにより、カラー表示装置の表示特性を較正する表示特性較正方法、表示特性較正装置及びコンピュータプログラムを提供する。  【解決手段】  液晶モニタ１０は、ＬＣＤパネル１１、変換部１２、ＬＵＴ１３、モニタ通信部１４、光源制御部１５、光源１６を備える。変換部１２はＬＵＴ１３を備え、ＬＵＴ１３は例えばＲＧＢの３原色に対応するＬＵＴ１３Ｒ（赤色用ＬＵＴ）、ＬＵＴ１３Ｇ（緑色用ＬＵＴ）、ＬＵＴ１３Ｂ（青色用ＬＵＴ）を備える。液晶モニタ１０には、ＰＣ２０が接続され、ＬＣＤパネル１１の表示画面には光学センサ３０が取り付けられている。【選択図】      図１
2005128254.tif 000002
【特許請求の範囲】
【請求項１】
複数色について表示入力階調を表示出力階調に変換する変換テーブルを有する変換部と、該変換部から出力される前記表示出力階調に応じた表示を行うカラー表示部とを備えるカラー表示装置の表示特性を較正する表示特性較正方法において、
表示入力階調の所定階調で前記カラー表示部が所定輝度及び所定白色度を示すように前記変換部を較正し、
前記表示入力階調に対応させて白色画面を表示し、
表示した白色画面から前記複数色の単色輝度を求め、前記表示入力階調に対応する表示出力階調を適用して表示出力階調対単色輝度の相関を求め、
所定の表示特性と前記所定階調での白色輝度とを用いて表示入力階調の複数階調での目標白色輝度を算出し、
該目標白色輝度を前記所定階調の単色輝度割合で配分することにより表示入力階調の複数階調での目標単色輝度を求め、
表示入力階調の複数階調について、前記目標単色輝度に相当する輝度を示す表示出力階調を表示出力階調対単色輝度の相関から求め、
該求めた表示出力階調を表示入力階調に対応させることにより前記変換テーブルを較正する
ことを特徴とする表示特性較正方法。
【請求項２】
複数色について表示入力階調を表示出力階調に変換する変換テーブルを有する変換部と、該変換部から出力される前記表示出力階調に応じた表示を行うカラー表示部とを備えるカラー表示装置の表示特性を較正する表示特性較正方法において、
複数色の変換テーブルの表示入力階調を最大階調とし、複数色の変換テーブルの表示出力階調を調整してカラー表示部の輝度及び白色度が仮目標輝度及び目標白色度になる初期較正用表示出力階調を求める第１過程と、
前記表示入力階調の最大階調と前記初期較正用表示出力階調とを対応させて、表示入力階調と表示出力階調との相関が所定の関数になるように複数色の変換テーブルを初期較正する第２過程と、
初期較正した複数色の変換テーブルを用いて表示入力階調の複数階調で白色画面を表示する第３過程と、
前記白色画面から表示入力階調の複数階調での複数色の単色輝度を求め、表示入力階調に対応する表示出力階調を適用して複数色の１次表示出力階調対単色輝度相関特性を求める第４過程と、
予め設定されている目標表示特性と、前記白色画面から求めた表示入力階調が最大階調のときの白色輝度及び表示入力階調が最小階調のときの白色輝度とを用いて表示入力階調の複数階調での１次目標白色輝度を算出し、１次表示入力階調対目標白色輝度相関特性を求める第５過程と、
表示入力階調が最大階調のときの複数色の前記単色輝度の割合を用いて表示入力階調の複数階調での前記１次目標白色輝度を比例配分することにより表示入力階調の複数階調での目標単色輝度を算出して複数色の１次表示入力階調対目標単色輝度相関特性を求める第６過程と、
表示入力階調の複数階調について、複数色の１次表示入力階調対目標単色輝度相関特性での目標単色輝度に相当する輝度を示す表示出力階調を１次表示出力階調対単色輝度相関特性から較正用表示出力階調として求め、該較正用表示出力階調を表示入力階調に対応させて複数色の変換テーブルを較正する第７過程と
を備えることを特徴とする表示特性較正方法。
【請求項３】
前記第７過程の後に、
較正した複数色の変換テーブルを用いて表示入力階調の複数階調について較正白色画面を表示する第８過程と、
前記較正白色画面から表示入力階調の複数階調での複数色の単色輝度を求め、表示入力階調に対応する表示出力階調を適用して複数色の２次表示出力階調対単色輝度相関特性を求める第９過程と、
表示入力階調の複数階調について、複数色の１次表示入力階調対目標単色輝度相関特性での目標単色輝度に相当する輝度を示す表示出力階調を２次表示出力階調対単色輝度相関特性から較正用表示出力階調として求め、該較正用表示出力階調を表示入力階調に対応させて複数色の変換テーブルを較正する第１０過程と
を更に備えることを特徴とする請求項２記載の表示特性較正方法。
【請求項４】
前記第８過程から第１０過程までを繰返すことにより前記２次表示出力階調対単色輝度相関特性を収束させることを特徴とする請求項３記載の表示特性較正方法。
【請求項５】
前記目標表示特性と、予め設定されている表示入力階調の最大階調での目標輝度及び最小階調での目標輝度を用いて、表示入力階調の複数階調での２次目標白色輝度を算出し、２次表示入力階調対目標白色輝度相関特性を求める第１１過程と、
前記単色輝度の割合を用いて表示入力階調の複数階調での２次目標白色輝度を比例配分することにより表示入力階調の複数階調での複数色の目標単色輝度を算出して複数色の２次表示入力階調対目標単色輝度相関特性を求める第１２過程と、
表示入力階調の複数階調について、複数色の２次表示入力階調対目標単色輝度相関特性での目標単色輝度に相当する輝度を示す表示出力階調を前記収束させた２次表示出力階調対単色輝度相関特性から較正用表示出力階調として求め、該較正用表示出力階調を表示入力階調に対応させて複数色の変換テーブルを較正する第１３過程と
を更に備えることを特徴とする請求項４記載の表示特性較正方法。
【請求項６】
前記仮目標輝度は最大階調での前記目標輝度より大きく設定してあることを特徴とする請求項５記載の表示特性較正方法。
【請求項７】
前記複数色は赤、緑、青であることを特徴とする請求項１ないし６のいずれかに記載の表示特性較正方法。
【請求項８】
前記初期較正用表示出力階調は、前記複数色のいずれかの初期較正用表示出力階調が出力階調の最大階調になるように調整されることを特徴とする請求項２ないし７のいずれかに記載の表示特性較正方法。
【請求項９】
前記表示入力階調の複数階調は表示入力階調の全階調であることを特徴とする請求項１ないし８のいずれかに記載の表示特性較正方法。
【請求項１０】
前記カラー表示装置はカラー液晶表示装置であることを特徴とする請求項１ないし９のいずれかに記載の表示特性較正方法。
【請求項１１】
複数色について表示入力階調を表示出力階調に変換する変換テーブルを有する変換部と、該変換部から出力される前記表示出力階調に応じた表示を行うカラー表示部とを備えるカラー表示装置の表示特性を較正する表示特性較正装置において、
前記カラー表示部の輝度及び白色度を測定する光学センサと、前記表示特性を較正するための処理を制御する制御部とを備え、
該制御部は、
複数色の変換テーブルの表示入力階調を最大階調とし、複数色の変換テーブルの表示出力階調を調整して前記光学センサを介してカラー表示部の輝度及び白色度を測定し、前記輝度及び白色度が目標輝度及び目標白色度になる初期較正用表示出力階調を求める第１過程と、
前記表示入力階調の最大階調と前記初期較正用表示出力階調とを対応させて、表示入力階調と表示出力階調との相関が所定の関数になるように複数色の変換テーブルを初期較正する第２過程と、
初期較正した複数色の変換テーブルを用いて表示入力階調の複数階調で白色画面を表示する第３過程と、
前記白色画面から前記光学センサを介して表示入力階調の複数階調での複数色の単色輝度を測定し、表示入力階調に対応する表示出力階調を適用して複数色の表示出力階調対単色輝度相関特性を求める第４過程と、
予め設定されている目標表示特性と、前記白色画面から求めた表示入力階調が最大階調のときの白色輝度及び表示入力階調が最小階調のときの白色輝度とを用いて表示入力階調の複数階調での目標白色輝度を算出し、表示入力階調対目標白色輝度相関特性を求める第５過程と、
表示入力階調が最大階調のときの複数色の前記単色輝度の割合を用いて表示入力階調の複数階調での前記目標白色輝度を比例配分することにより表示入力階調の複数階調での目標単色輝度を算出して複数色の表示入力階調対目標単色輝度相関特性を求める第６過程と、
表示入力階調の複数階調について、複数色の表示入力階調対目標単色輝度相関特性での目標単色輝度に相当する輝度を示す表示出力階調を表示出力階調対単色輝度相関特性から較正用表示出力階調として求め、該較正用表示出力階調を表示入力階調に対応させて複数色の変換テーブルを較正する第７過程と
の処理を制御する構成としてあることを特徴とする表示特性較正装置。
【請求項１２】
前記カラー表示装置はバックライトを備えるカラー液晶表示装置であり、前記第１過程では、バックライトの輝度が並行して制御される構成としてあることを特徴とする請求項１１記載の表示特性較正装置。
【請求項１３】
前記光学センサが測定する輝度は絶対値で表されることを特徴とする請求項１１又は１２記載の表示特性較正装置。
【請求項１４】
前記光学センサは輝度と色度の測定が可能としてあり、測定された輝度と色度から単色輝度を算出する構成としてあることを特徴とする請求項１１又は１２記載の表示特性較正装置。
【請求項１５】
複数色について表示入力階調を表示出力階調に変換する変換テーブルを有する変換部と、該変換部から出力される前記表示出力階調に応じた表示を行うカラー表示部とを備えるカラー表示装置の表示特性の較正をコンピュータに実行させるコンピュータプログラムにおいて、
コンピュータに、
複数色の変換テーブルの表示入力階調を最大階調とし、複数色の変換テーブルの表示出力階調を調整してカラー表示部の輝度及び白色度を求め、前記輝度及び白色度が目標輝度及び目標白色度になる初期較正用表示出力階調を求める第１過程と、
前記表示入力階調の最大階調と前記初期較正用表示出力階調とを対応させて、表示入力階調と表示出力階調との相関が所定の関数になるように複数色の変換テーブルを初期較正する第２過程と、
初期較正した複数色の変換テーブルを用いて表示入力階調の複数階調で白色画面を表示する第３過程と、
前記白色画面から表示入力階調の複数階調での複数色の単色輝度を求め、表示入力階調に対応する表示出力階調を適用して複数色の表示出力階調対単色輝度相関特性を求める第４過程と、
予め設定されている目標表示特性と、前記白色画面から求めた表示入力階調が最大階調のときの白色輝度及び表示入力階調が最小階調のときの白色輝度とを用いて表示入力階調の複数階調での目標白色輝度を算出し、表示入力階調対目標白色輝度相関特性を求める第５過程と、
表示入力階調が最大階調のときの複数色の前記単色輝度の割合を用いて表示入力階調の複数階調での前記目標白色輝度を比例配分することにより表示入力階調の複数階調での目標単色輝度を算出して複数色の表示入力階調対目標単色輝度相関特性を求める第６過程と、
表示入力階調の複数階調について、複数色の表示入力階調対目標単色輝度相関特性での目標単色輝度に相当する輝度を示す表示出力階調を表示出力階調対単色輝度相関特性から較正用表示出力階調として求め、該較正用表示出力階調を表示入力階調に対応させて複数色の変換テーブルを較正する第７過程と
を実行させることを特徴とするコンピュータプログラム。
【請求項１６】
複数色について表示入力階調を表示出力階調に変換する変換テーブルを有する変換部と、該変換部から出力される前記表示出力階調に複数色別の所定のゲイン定数を乗じて調整階調として出力するゲイン調整部と、前記調整階調に応じた表示を行うカラー表示部とを備えるカラー表示装置の表示特性を較正する表示特性較正方法において、
前記表示入力階調と表示出力階調との相関を所定の関数に対応させて変換テーブルを較正し、
該較正した変換テーブルの表示入力階調の所定階調で前記カラー表示部が所定輝度及び所定白色度を示すようにゲイン定数を設定し、
ゲイン定数を設定した後、複数色それぞれの単色画面を表示して複数色それぞれの単色画面輝度を求め、
ゲイン定数を設定した後、表示入力階調の複数階調で白色画面を表示して白色輝度及び複数色の単色輝度を求め、
前記単色画面輝度を基準に表示入力階調について複数色の単色輝度の割合で前記白色輝度を配分することにより表示入力階調の複数階調での単色輝度を算出し、表示入力階調に対応する表示出力階調を適用して複数色の表示出力階調対単色輝度の相関を求め、
所定の表示特性と、表示入力階調が所定階調のときの目標輝度を用いて表示入力階調の複数階調での目標白色輝度を算出し、表示入力階調対目標白色輝度の相関を求め、
該表示入力階調対目標白色輝度での目標白色輝度を前記単色画面輝度の割合で配分することにより表示入力階調の複数階調での目標単色輝度を算出し、
表示入力階調の複数階調について、前記目標単色輝度に相当する輝度を示す表示出力階調を表示出力階調対単色輝度の相関から求め、
該求めた表示出力階調を表示入力階調に対応させることにより前記変換テーブルを較正する
ことを特徴とする表示特性較正方法。
【請求項１７】
複数色について表示入力階調を表示出力階調に変換する変換テーブルを有する変換部と、該変換部から出力される前記表示出力階調に複数色別の所定のゲイン定数を乗じて調整階調として出力するゲイン調整部と、前記調整階調に応じた表示を行うカラー表示部とを備えるカラー表示装置の表示特性を較正する表示特性較正方法において、
前記表示入力階調と表示出力階調との相関を所定の関数に対応させて複数色の変換テーブルを初期較正する第１過程と、
初期較正した複数色の変換テーブルの表示入力階調を最大階調とし、前記カラー表示部の輝度及び白色度が仮目標輝度及び目標白色度になるようにゲイン定数を設定する第２過程と、
ゲイン定数を設定した後、複数色それぞれの単色画面を表示して複数色の１次単色画面輝度を求める第３過程と、
ゲイン定数を設定した後、表示入力階調の複数階調で白色画面を表示して白色輝度及び複数色の１次単色輝度を求める第４過程と、
表示入力階調の複数階調での単色輝度に、表示入力階調に対応する表示出力階調を適用して複数色の１次表示出力階調対単色輝度相関特性を求める第５過程と、
予め設定されている目標表示特性と、予め設定されている表示入力階調が最大階調のときの仮目標輝度及び表示入力階調が最小階調のときの仮目標輝度とを用いて表示入力階調の複数階調での１次目標白色輝度を算出し、１次表示入力階調対目標白色輝度相関特性を求める第６過程と、
前記複数色の１次単色画面輝度の割合を用いて表示入力階調の複数階調での前記１次目標白色輝度を比例配分することにより表示入力階調の複数階調での目標単色輝度を算出して複数色の１次表示入力階調対目標単色輝度相関特性を求める第７過程と、
表示入力階調の複数階調について、複数色の１次表示入力階調対目標単色輝度相関特性での目標単色輝度に相当する輝度を示す表示出力階調を１次表示出力階調対単色輝度相関特性から較正用表示出力階調として求め、該較正用表示出力階調を表示入力階調に対応させて複数色の変換テーブルを較正する第８過程と
を備えることを特徴とする表示特性較正方法。
【請求項１８】
前記第８過程の後に、
複数色それぞれの単色画面を表示して複数色の２次単色画面輝度を求める第９過程と、
表示入力階調の複数階調で白色画面を表示して白色輝度及び複数色の２次単色輝度を求める第１０過程と、
表示入力階調の複数階調での単色輝度に、表示入力階調に対応する表示出力階調を適用して複数色の２次表示出力階調対単色輝度相関特性を求める第１１過程と、
予め設定されている目標表示特性と、予め設定されている表示入力階調が最大階調のときの目標輝度及び表示入力階調が最小階調のときの目標輝度とを用いて表示入力階調の複数階調での２次目標白色輝度を算出し、２次表示入力階調対目標白色輝度相関特性を求める第１２過程と、
前記複数色の２次単色画面輝度の割合を用いて表示入力階調の複数階調での前記２次目標白色輝度を比例配分することにより表示入力階調の複数階調での目標単色輝度を算出して複数色の２次表示入力階調対目標単色輝度相関特性を求める第１３過程と、
表示入力階調の複数階調について、複数色の２次表示入力階調対目標単色輝度相関特性での目標単色輝度に相当する輝度を示す表示出力階調を２次表示出力階調対単色輝度相関特性から較正用表示出力階調として求め、該較正用表示出力階調を表示入力階調に対応させて複数色の変換テーブルを較正する第１４過程と
を更に備えることを特徴とする請求項１７記載の表示特性較正方法。
【請求項１９】
前記第８過程の後に、
表示入力階調の複数階調で白色画面を表示して白色輝度を求め、表示入力階調に対応する表示出力階調を適用して表示出力階調対白色輝度相関特性を求める第１５過程と、
予め設定されている目標表示特性と、予め設定されている表示入力階調が最大階調のときの目標輝度及び表示入力階調が最小階調のときの目標輝度とを用いて表示入力階調の複数階調での２次目標白色輝度を算出し、２次表示入力階調対目標白色輝度相関特性を求める第１６過程と、
表示入力階調の複数階調について、２次表示入力階調対白色輝度相関特性での２次目標白色輝度に相当する輝度を示す表示出力階調を表示出力階調対白色輝度相関特性から較正用表示出力階調として求め、該較正用表示出力階調を表示入力階調に対応させて複数色の変換テーブルを較正する第１７過程と
を更に備えることを特徴とする請求項１７記載の表示特性較正方法。
【請求項２０】
前記仮目標輝度及び目標輝度は、第２過程での仮目標輝度＞第６過程での最大階調のときの仮目標輝度＞第１２過程又は第１６過程での最大階調のときの目標輝度、の関係を有することを特徴とする請求項１８又は１９記載の表示特性較正方法。
【請求項２１】
前記複数色は赤、緑、青であることを特徴とする請求項１６ないし２０のいずれかに記載の表示特性較正方法。
【請求項２２】
前記ゲイン定数は、複数色のいずれかのゲイン定数を最大値に設定してあることを特徴とする請求項１６ないし２１のいずれかに記載の表示特性較正方法。
【請求項２３】
前記入力階調の複数階調は入力階調の全階調であることを特徴とする請求項１６ないし２２のいずれかに記載の表示特性較正方法。
【請求項２４】
前記カラー表示装置はカラー液晶表示装置であることを特徴とする請求項１６ないし２３のいずれかに記載の表示特性較正方法。
【請求項２５】
複数色について表示入力階調を表示出力階調に変換する変換テーブルを有する変換部と、該変換部から出力される前記表示出力階調に複数色別の所定のゲイン定数を乗じて調整階調として出力するゲイン調整部と、前記調整階調に応じた表示を行うカラー表示部とを備えるカラー表示装置の表示特性を較正する表示特性較正装置において、
前記カラー表示部の輝度及び白色度を測定する光学センサと、前記表示特性を較正するための処理を制御する制御部とを備え、
該制御部は、
前記表示入力階調と表示出力階調との相関を所定の関数に対応させて変換テーブルを初期較正する第１過程と、
初期較正した複数色の変換テーブルの表示入力階調を最大階調とし、前記光学センサを介してカラー表示部の輝度及び白色度を測定し、前記輝度及び白色度が目標輝度及び目標白色度になるようにゲイン定数を設定する第２過程と、
ゲイン定数を設定した後、複数色それぞれの単色画面を表示し、前記光学センサを介して複数色の単色画面輝度を測定する第３過程と、
ゲイン定数を設定した後、表示入力階調の複数階調で白色画面を表示し、前記光学センサを介して白色輝度及び複数色の単色輝度を測定する第４過程と、
表示入力階調の複数階調での単色輝度に、表示入力階調に対応する表示出力階調を適用して複数色の表示出力階調対単色輝度相関特性を求める第５過程と、
予め設定されている目標表示特性と、予め設定されている表示入力階調が最大階調のときの目標輝度及び表示入力階調が最小階調のときの目標輝度とを用いて表示入力階調の複数階調での目標白色輝度を算出し、表示入力階調対目標白色輝度相関特性を求める第６過程と、
前記複数色の単色画面輝度の割合を用いて表示入力階調の複数階調での前記目標白色輝度を比例配分することにより表示入力階調の複数階調での目標単色輝度を算出して複数色の表示入力階調対目標単色輝度相関特性を求める第７過程と、
表示入力階調の複数階調について、複数色の表示入力階調対目標単色輝度相関特性での目標単色輝度に相当する輝度を示す表示出力階調を表示出力階調対単色輝度相関特性から較正用表示出力階調として求め、該較正用表示出力階調を表示入力階調に対応させて複数色の変換テーブルを較正する第８過程と
の処理を制御する構成としてあることを特徴とする表示特性較正装置。
【請求項２６】
前記カラー表示装置はバックライトを備えるカラー液晶表示装置であり、前記第２過程では、バックライトの輝度が並行して制御される構成としてあることを特徴とする請求項２５記載の表示特性較正装置。
【請求項２７】
前記光学センサが測定する複数色の単色輝度は相対値で表され、該単色輝度を正規化して第５過程での単色輝度を算出する構成としてあることを特徴とする請求項２５又は２６記載の表示特性較正装置。
【請求項２８】
前記光学センサは輝度と色度の測定が可能としてあり、測定された輝度と色度から第４過程での単色輝度を算出する構成としてあることを特徴とする請求項２５又は２６記載の表示特性較正装置。
【請求項２９】
複数色について表示入力階調を表示出力階調に変換する変換テーブルを有する変換部と、該変換部から出力される前記表示出力階調に複数色別の所定のゲイン定数を乗じて調整階調として出力するゲイン調整部と、前記調整階調に応じた表示を行うカラー表示部とを備えるカラー表示装置の表示特性の較正をコンピュータに実行させるコンピュータプログラムにおいて、
コンピュータに、
前記表示入力階調と表示出力階調との相関を所定の関数に対応させて変換テーブルを初期較正する第１過程と、
初期較正した複数色の変換テーブルの表示入力階調を最大階調とし、前記カラー表示部の輝度及び白色度が仮目標輝度及び目標白色度になるようにゲイン定数を設定する第２過程と、
ゲイン定数を設定した後、複数色それぞれの単色画面を表示して複数色の１次単色画面輝度を求める第３過程と、
ゲイン定数を設定した後、表示入力階調の複数階調で白色画面を表示して白色輝度及び複数色の１次単色輝度を求める第４過程と、
表示入力階調の複数階調での単色輝度に、表示入力階調に対応する表示出力階調を適用して複数色の１次表示出力階調対単色輝度相関特性を求める第５過程と、
予め設定されている目標表示特性と、予め設定されている表示入力階調が最大階調のときの仮目標輝度及び表示入力階調が最小階調のときの仮目標輝度とを用いて表示入力階調の複数階調での１次目標白色輝度を算出し、１次表示入力階調対目標白色輝度相関特性を求める第６過程と、
前記複数色の１次単色画面輝度の割合を用いて表示入力階調の複数階調での前記１次目標白色輝度を比例配分することにより表示入力階調の複数階調での目標単色輝度を算出して複数色の１次表示入力階調対目標単色輝度相関特性を求める第７過程と、
表示入力階調の複数階調について、複数色の１次表示入力階調対目標単色輝度相関特性での目標単色輝度に相当する輝度を示す表示出力階調を１次表示出力階調対単色輝度相関特性から較正用表示出力階調として求め、該較正用表示出力階調を表示入力階調に対応させて複数色の変換テーブルを較正する第８過程と
を実行させることを特徴とするコンピュータプログラム。
【請求項３０】
コンピュータに、前記第８過程の後に、
複数色それぞれの単色画面を表示して複数色の２次単色画面輝度を求める第９過程と、
表示入力階調の複数階調で白色画面を表示して白色輝度及び複数色の２次単色輝度を求める第１０過程と、
２次単色画面輝度を基準にして複数色の２次単色輝度を表示入力階調についてそれぞれ正規化し、正規化した複数色の２次単色輝度の割合を用いて第１０過程で求めた白色輝度を比例配分することにより表示入力階調の複数階調での単色輝度を算出し、表示入力階調に対応する表示出力階調を適用して複数色の２次表示出力階調対単色輝度相関特性を求める第１１過程と、
予め設定されている目標表示特性と、予め設定されている表示入力階調が最大階調のときの目標輝度及び表示入力階調が最小階調のときの目標輝度とを用いて表示入力階調の複数階調での２次目標白色輝度を算出し、２次表示入力階調対目標白色輝度相関特性を求める第１２過程と、
前記複数色の２次単色画面輝度の割合を用いて表示入力階調の複数階調での前記２次目標白色輝度を比例配分することにより表示入力階調の複数階調での目標単色輝度を算出して複数色の２次表示入力階調対目標単色輝度相関特性を求める第１３過程と、
表示入力階調の複数階調について、複数色の２次表示入力階調対目標単色輝度相関特性での目標単色輝度に相当する輝度を示す表示出力階調を２次表示出力階調対単色輝度相関特性から較正用表示出力階調として求め、該較正用表示出力階調を表示入力階調に対応させて複数色の変換テーブルを較正する第１４過程と
を実行させることを特徴とする請求項２９記載のコンピュータプログラム。
【請求項３１】
コンピュータに、前記第８過程の後に、
表示入力階調の複数階調で白色画面を表示して白色輝度を求め、表示入力階調に対応する表示出力階調を適用して表示出力階調対白色輝度相関特性を求める第１５過程と、
予め設定されている目標表示特性と、予め設定されている表示入力階調が最大階調のときの目標輝度及び表示入力階調が最小階調のときの目標輝度とを用いて表示入力階調の複数階調での２次目標白色輝度を算出し、２次表示入力階調対目標白色輝度相関特性を求める第１６過程と、
表示入力階調の複数階調について、２次表示入力階調対白色輝度相関特性での２次目標白色輝度に相当する輝度を示す表示出力階調を表示出力階調対白色輝度相関特性から較正用表示出力階調として求め、該較正用表示出力階調を表示入力階調に対応させて複数色の変換テーブルを較正する第１７過程と
を実行させることを特徴とする請求項２９記載のコンピュータプログラム。
【発明の詳細な説明】
【技術分野】
【０００１】
本発明は、表示入力階調を表示出力階調に変換する変換テーブルを有するカラー表示装置の変換テーブルを較正することによりカラー表示装置の表示特性を較正する表示特性較正方法、表示特性較正装置及びコンピュータプログラムに関する。
【背景技術】
【０００２】
カラー表示部（例えば、液晶カラー表示部）を有するカラー表示装置（例えば、カラー液晶表示装置）は、カラー表示部へ供給される信号の階調に応じた輝度（明度、光の透過率など）で表示をする。供給される信号の階調（階調値）と表示される輝度の間にはカラー表示部に固有の特性がある。したがって、このような表示装置では、表示装置へ入力される信号に対して所望の表示特性（一般的にγ特性ともいわれる）での表示をさせるために、入力される信号を所定の関数に基づいて変換してから、カラー表示部へ信号を供給している。
【０００３】
この変換をするための手段として、カラー表示装置内に、表示入力階調（表示装置へ入力される信号）を表示出力階調（カラー表示部の固有の特性を調整するために表示入力信号を変換して出力される信号）に変換するための変換テーブル（ルックアップテーブルともいわれる）を備えている。
【０００４】
従来のカラー液晶表示装置では、Ｒ（赤）Ｇ（緑）Ｂ（青）各色毎に変換テーブルを備えており、ＲＧＢ各色毎の単色画面を用いてγ特性を調整してＲＧＢ各色毎に変換テーブルを設定していた（例えば、特許文献１参照）。しかし、カラー液晶表示装置（カラー液晶表示部）では、厳密には加法混色が成立しないことから、ＲＧＢそれぞれ個別の単色についてγ特性を調整された変換テーブルを用いて白色（白黒）を表示するとγ特性が本来あるべき白色としてのγ特性からずれる。このような、白色でのγ特性のずれは、カラー液晶表示装置を白黒表示に用いる場合には、階調表示が正確に行われないなどの問題がある。例えば、レントゲン画像をカラー液晶表示装置を用いて表示する場合などでは、白色でのγ特性はより正確なものが要求される。
【特許文献１】特開２００２−９９２３８号公報
【発明の開示】
【発明が解決しようとする課題】
【０００５】
本発明は、このような問題に鑑みてなされたものであり、白色を階調表示する際のγ特性をより正確にするために表示入力階調の複数階調について白色画面を表示して求めた輝度（白色輝度、単色輝度）、白色度に基づいて複数色（ＲＧＢ各色）の変換テーブルの較正を行うことにより、カラー表示装置の表示特性を較正する表示特性較正方法、カラー表示装置の表示特性を較正する表示特性較正装置及びカラー表示装置の表示特性の較正をコンピュータに実行させるコンピュータプログラムを提供することを目的とする。
【０００６】
本発明は、厳密な加法混色が成立しないカラー液晶表示装置に適用して白色表示の際のγ特性を正確にすることができる表示特性較正方法、表示特性較正装置及びコンピュータプログラムを提供することを別の目的とする。
【課題を解決するための手段】
【０００７】
本発明に係る表示特性較正方法は、複数色について表示入力階調を表示出力階調に変換する変換テーブルを有する変換部と、該変換部から出力される前記表示出力階調に応じた表示を行うカラー表示部とを備えるカラー表示装置の表示特性を較正する表示特性較正方法において、表示入力階調の所定階調で前記カラー表示部が所定輝度及び所定白色度を示すように前記変換部を較正し、前記表示入力階調に対応させて白色画面を表示し、表示した白色画面から前記複数色の単色輝度を求め、前記表示入力階調に対応する表示出力階調を適用して表示出力階調対単色輝度の相関を求め、所定の表示特性と前記所定階調での白色輝度とを用いて表示入力階調の複数階調での目標白色輝度を算出し、該目標白色輝度を前記所定階調の単色輝度割合で配分することにより表示入力階調の複数階調での目標単色輝度を求め、表示入力階調の複数階調について、前記目標単色輝度に相当する輝度を示す表示出力階調を表示出力階調対単色輝度の相関から求め、該求めた表示出力階調を表示入力階調に対応させることにより前記変換テーブルを較正することを特徴とする。
【０００８】
本発明に係る表示特性較正方法は、複数色について表示入力階調を表示出力階調に変換する変換テーブルを有する変換部と、該変換部から出力される前記表示出力階調に応じた表示を行うカラー表示部とを備えるカラー表示装置の表示特性を較正する表示特性較正方法において、複数色の変換テーブルの表示入力階調を最大階調とし、複数色の変換テーブルの表示出力階調を調整してカラー表示部の輝度及び白色度が仮目標輝度及び目標白色度になる初期較正用表示出力階調を求める第１過程と、前記表示入力階調の最大階調と前記初期較正用表示出力階調とを対応させて、表示入力階調と表示出力階調との相関が所定の関数になるように複数色の変換テーブルを初期較正する第２過程と、初期較正した複数色の変換テーブルを用いて表示入力階調の複数階調で白色画面を表示する第３過程と、前記白色画面から表示入力階調の複数階調での複数色の単色輝度を求め、表示入力階調に対応する表示出力階調を適用して複数色の１次表示出力階調対単色輝度相関特性を求める第４過程と、予め設定されている目標表示特性と、前記白色画面から求めた表示入力階調が最大階調のときの白色輝度及び表示入力階調が最小階調のときの白色輝度とを用いて表示入力階調の複数階調での１次目標白色輝度を算出し、１次表示入力階調対目標白色輝度相関特性を求める第５過程と、表示入力階調が最大階調のときの複数色の前記単色輝度の割合を用いて表示入力階調の複数階調での前記１次目標白色輝度を比例配分することにより表示入力階調の複数階調での目標単色輝度を算出して複数色の１次表示入力階調対目標単色輝度相関特性を求める第６過程と、表示入力階調の複数階調について、複数色の１次表示入力階調対目標単色輝度相関特性での目標単色輝度に相当する輝度を示す表示出力階調を１次表示出力階調対単色輝度相関特性から較正用表示出力階調として求め、該較正用表示出力階調を表示入力階調に対応させて複数色の変換テーブルを較正する第７過程とを備えることを特徴とする。
【０００９】
本発明に係る表示特性較正方法では、前記第７過程の後に、較正した複数色の変換テーブルを用いて表示入力階調の複数階調について較正白色画面を表示する第８過程と、前記較正白色画面から表示入力階調の複数階調での複数色の単色輝度を求め、表示入力階調に対応する表示出力階調を適用して複数色の２次表示出力階調対単色輝度相関特性を求める第９過程と、表示入力階調の複数階調について、複数色の１次表示入力階調対目標単色輝度相関特性での目標単色輝度に相当する輝度を示す表示出力階調を２次表示出力階調対単色輝度相関特性から較正用表示出力階調として求め、該較正用表示出力階調を表示入力階調に対応させて複数色の変換テーブルを較正する第１０過程とを更に備えることを特徴とする。
【００１０】
本発明に係る表示特性較正方法では、前記第８過程から第１０過程までを繰返すことにより前記２次表示出力階調対単色輝度相関特性を収束させることを特徴とする。
【００１１】
本発明に係る表示特性較正方法では、前記目標表示特性と、予め設定されている表示入力階調の最大階調での目標輝度及び最小階調での目標輝度を用いて、表示入力階調の複数階調での２次目標白色輝度を算出し、２次表示入力階調対目標白色輝度相関特性を求める第１１過程と、前記単色輝度の割合を用いて表示入力階調の複数階調での２次目標白色輝度を比例配分することにより表示入力階調の複数階調での複数色の目標単色輝度を算出して複数色の２次表示入力階調対目標単色輝度相関特性を求める第１２過程と、表示入力階調の複数階調について、複数色の２次表示入力階調対目標単色輝度相関特性での目標単色輝度に相当する輝度を示す表示出力階調を前記収束させた２次表示出力階調対単色輝度相関特性から較正用表示出力階調として求め、該較正用表示出力階調を表示入力階調に対応させて複数色の変換テーブルを較正する第１３過程とを更に備えることを特徴とする。
【００１２】
本発明に係る表示特性較正方法では、前記仮目標輝度は最大階調での前記目標輝度より大きく設定してあることを特徴とする。
【００１３】
本発明に係る表示特性較正方法では、前記複数色は赤、緑、青であることを特徴とする。
【００１４】
本発明に係る表示特性較正方法では、前記初期較正用表示出力階調は、前記複数色のいずれかの初期較正用表示出力階調が出力階調の最大階調になるように調整されることを特徴とする。
【００１５】
本発明に係る表示特性較正方法では、前記表示入力階調の複数階調は表示入力階調の全階調であることを特徴とする。
【００１６】
本発明に係る表示特性較正方法では、前記カラー表示装置はカラー液晶表示装置であることを特徴とする。
【００１７】
本発明に係る表示特性較正装置は、複数色について表示入力階調を表示出力階調に変換する変換テーブルを有する変換部と、該変換部から出力される前記表示出力階調に応じた表示を行うカラー表示部とを備えるカラー表示装置の表示特性を較正する表示特性較正装置において、前記カラー表示部の輝度及び白色度を測定する光学センサと、前記表示特性を較正するための処理を制御する制御部とを備え、該制御部は、複数色の変換テーブルの表示入力階調を最大階調とし、複数色の変換テーブルの表示出力階調を調整して前記光学センサを介してカラー表示部の輝度及び白色度を測定し、前記輝度及び白色度が目標輝度及び目標白色度になる初期較正用表示出力階調を求める第１過程と、前記表示入力階調の最大階調と前記初期較正用表示出力階調とを対応させて、表示入力階調と表示出力階調との相関が所定の関数になるように複数色の変換テーブルを初期較正する第２過程と、初期較正した複数色の変換テーブルを用いて表示入力階調の複数階調で白色画面を表示する第３過程と、前記白色画面から前記光学センサを介して表示入力階調の複数階調での複数色の単色輝度を測定し、表示入力階調に対応する表示出力階調を適用して複数色の表示出力階調対単色輝度相関特性を求める第４過程と、予め設定されている目標表示特性と、前記白色画面から求めた表示入力階調が最大階調のときの白色輝度及び表示入力階調が最小階調のときの白色輝度とを用いて表示入力階調の複数階調での目標白色輝度を算出し、表示入力階調対目標白色輝度相関特性を求める第５過程と、表示入力階調が最大階調のときの複数色の前記単色輝度の割合を用いて表示入力階調の複数階調での前記目標白色輝度を比例配分することにより表示入力階調の複数階調での目標単色輝度を算出して複数色の表示入力階調対目標単色輝度相関特性を求める第６過程と、表示入力階調の複数階調について、複数色の表示入力階調対目標単色輝度相関特性での目標単色輝度に相当する輝度を示す表示出力階調を表示出力階調対単色輝度相関特性から較正用表示出力階調として求め、該較正用表示出力階調を表示入力階調に対応させて複数色の変換テーブルを較正する第７過程との処理を制御する構成としてあることを特徴とする。
【００１８】
本発明に係る表示特性較正装置では、前記カラー表示装置はバックライトを備えるカラー液晶表示装置であり、前記第１過程では、バックライトの輝度が並行して制御される構成としてあることを特徴とする。
【００１９】
本発明に係る表示特性較正装置では、前記光学センサが測定する輝度は絶対値で表されることを特徴とする。
【００２０】
本発明に係る表示特性較正装置では、前記光学センサは輝度と色度の測定が可能としてあり、測定された輝度と色度から単色輝度を算出する構成としてあることを特徴とする。
【００２１】
本発明に係るコンピュータプログラムは、複数色について表示入力階調を表示出力階調に変換する変換テーブルを有する変換部と、該変換部から出力される前記表示出力階調に応じた表示を行うカラー表示部とを備えるカラー表示装置の表示特性の較正をコンピュータに実行させるコンピュータプログラムにおいて、コンピュータに、複数色の変換テーブルの表示入力階調を最大階調とし、複数色の変換テーブルの表示出力階調を調整してカラー表示部の輝度及び白色度を求め、前記輝度及び白色度が目標輝度及び目標白色度になる初期較正用表示出力階調を求める第１過程と、前記表示入力階調の最大階調と前記初期較正用表示出力階調とを対応させて、表示入力階調と表示出力階調との相関が所定の関数になるように複数色の変換テーブルを初期較正する第２過程と、初期較正した複数色の変換テーブルを用いて表示入力階調の複数階調で白色画面を表示する第３過程と、前記白色画面から表示入力階調の複数階調での複数色の単色輝度を求め、表示入力階調に対応する表示出力階調を適用して複数色の表示出力階調対単色輝度相関特性を求める第４過程と、予め設定されている目標表示特性と、前記白色画面から求めた表示入力階調が最大階調のときの白色輝度及び表示入力階調が最小階調のときの白色輝度とを用いて表示入力階調の複数階調での目標白色輝度を算出し、表示入力階調対目標白色輝度相関特性を求める第５過程と、表示入力階調が最大階調のときの複数色の前記単色輝度の割合を用いて表示入力階調の複数階調での前記目標白色輝度を比例配分することにより表示入力階調の複数階調での目標単色輝度を算出して複数色の表示入力階調対目標単色輝度相関特性を求める第６過程と、表示入力階調の複数階調について、複数色の表示入力階調対目標単色輝度相関特性での目標単色輝度に相当する輝度を示す表示出力階調を表示出力階調対単色輝度相関特性から較正用表示出力階調として求め、該較正用表示出力階調を表示入力階調に対応させて複数色の変換テーブルを較正する第７過程とを実行させることを特徴とする。
【００２２】
本発明に係る表示特性較正方法は、複数色について表示入力階調を表示出力階調に変換する変換テーブルを有する変換部と、該変換部から出力される前記表示出力階調に複数色別の所定のゲイン定数を乗じて調整階調として出力するゲイン調整部と、前記調整階調に応じた表示を行うカラー表示部とを備えるカラー表示装置の表示特性を較正する表示特性較正方法において、前記表示入力階調と表示出力階調との相関を所定の関数に対応させて変換テーブルを較正し、該較正した変換テーブルの表示入力階調の所定階調で前記カラー表示部が所定輝度及び所定白色度を示すようにゲイン定数を設定し、ゲイン定数を設定した後、複数色それぞれの単色画面を表示して複数色それぞれの単色画面輝度を求め、ゲイン定数を設定した後、表示入力階調の複数階調で白色画面を表示して白色輝度及び複数色の単色輝度を求め、前記単色画面輝度を基準に表示入力階調について複数色の単色輝度の割合で前記白色輝度を配分することにより表示入力階調の複数階調での単色輝度を算出し、表示入力階調に対応する表示出力階調を適用して複数色の表示出力階調対単色輝度の相関を求め、所定の表示特性と、表示入力階調が所定階調のときの目標輝度を用いて表示入力階調の複数階調での目標白色輝度を算出し、表示入力階調対目標白色輝度の相関を求め、該表示入力階調対目標白色輝度での目標白色輝度を前記単色画面輝度の割合で配分することにより表示入力階調の複数階調での目標単色輝度を算出し、表示入力階調の複数階調について、前記目標単色輝度に相当する輝度を示す表示出力階調を表示出力階調対単色輝度の相関から求め、該求めた表示出力階調を表示入力階調に対応させることにより前記変換テーブルを較正することを特徴とする。
【００２３】
本発明に係る表示特性較正方法は、複数色について表示入力階調を表示出力階調に変換する変換テーブルを有する変換部と、該変換部から出力される前記表示出力階調に複数色別の所定のゲイン定数を乗じて調整階調として出力するゲイン調整部と、前記調整階調に応じた表示を行うカラー表示部とを備えるカラー表示装置の表示特性を較正する表示特性較正方法において、前記表示入力階調と表示出力階調との相関を所定の関数に対応させて複数色の変換テーブルを初期較正する第１過程と、初期較正した複数色の変換テーブルの表示入力階調を最大階調とし、前記カラー表示部の輝度及び白色度が仮目標輝度及び目標白色度になるようにゲイン定数を設定する第２過程と、ゲイン定数を設定した後、複数色それぞれの単色画面を表示して複数色の１次単色画面輝度を求める第３過程と、ゲイン定数を設定した後、表示入力階調の複数階調で白色画面を表示して白色輝度及び複数色の１次単色輝度を求める第４過程と、表示入力階調の複数階調での単色輝度に、表示入力階調に対応する表示出力階調を適用して複数色の１次表示出力階調対単色輝度相関特性を求める第５過程と、予め設定されている目標表示特性と、予め設定されている表示入力階調が最大階調のときの仮目標輝度及び表示入力階調が最小階調のときの仮目標輝度とを用いて表示入力階調の複数階調での１次目標白色輝度を算出し、１次表示入力階調対目標白色輝度相関特性を求める第６過程と、前記複数色の１次単色画面輝度の割合を用いて表示入力階調の複数階調での前記１次目標白色輝度を比例配分することにより表示入力階調の複数階調での目標単色輝度を算出して複数色の１次表示入力階調対目標単色輝度相関特性を求める第７過程と、表示入力階調の複数階調について、複数色の１次表示入力階調対目標単色輝度相関特性での目標単色輝度に相当する輝度を示す表示出力階調を１次表示出力階調対単色輝度相関特性から較正用表示出力階調として求め、該較正用表示出力階調を表示入力階調に対応させて複数色の変換テーブルを較正する第８過程とを備えることを特徴とする。
【００２４】
本発明に係る表示特性較正方法では、前記第８過程の後に、複数色それぞれの単色画面を表示して複数色の２次単色画面輝度を求める第９過程と、表示入力階調の複数階調で白色画面を表示して白色輝度及び複数色の２次単色輝度を求める第１０過程と、表示入力階調の複数階調での単色輝度に、表示入力階調に対応する表示出力階調を適用して複数色の２次表示出力階調対単色輝度相関特性を求める第１１過程と、予め設定されている目標表示特性と、予め設定されている表示入力階調が最大階調のときの目標輝度及び表示入力階調が最小階調のときの目標輝度とを用いて表示入力階調の複数階調での２次目標白色輝度を算出し、２次表示入力階調対目標白色輝度相関特性を求める第１２過程と、前記複数色の２次単色画面輝度の割合を用いて表示入力階調の複数階調での前記２次目標白色輝度を比例配分することにより表示入力階調の複数階調での目標単色輝度を算出して複数色の２次表示入力階調対目標単色輝度相関特性を求める第１３過程と、表示入力階調の複数階調について、複数色の２次表示入力階調対目標単色輝度相関特性での目標単色輝度に相当する輝度を示す表示出力階調を２次表示出力階調対単色輝度相関特性から較正用表示出力階調として求め、該較正用表示出力階調を表示入力階調に対応させて複数色の変換テーブルを較正する第１４過程とを更に備えることを特徴とする。
【００２５】
本発明に係る表示特性較正方法では、前記第８過程の後に、表示入力階調の複数階調で白色画面を表示して白色輝度を求め、表示入力階調に対応する表示出力階調を適用して表示出力階調対白色輝度相関特性を求める第１５過程と、予め設定されている目標表示特性と、予め設定されている表示入力階調が最大階調のときの目標輝度及び表示入力階調が最小階調のときの目標輝度とを用いて表示入力階調の複数階調での２次目標白色輝度を算出し、２次表示入力階調対目標白色輝度相関特性を求める第１６過程と、表示入力階調の複数階調について、２次表示入力階調対白色輝度相関特性での２次目標白色輝度に相当する輝度を示す表示出力階調を表示出力階調対白色輝度相関特性から較正用表示出力階調として求め、該較正用表示出力階調を表示入力階調に対応させて複数色の変換テーブルを較正する第１７過程とを更に備えることを特徴とする。
【００２６】
本発明に係る表示特性較正方法では、前記仮目標輝度及び目標輝度は、第２過程での仮目標輝度＞第６過程での最大階調のときの仮目標輝度＞第１２過程又は第１６過程での最大階調のときの目標輝度、の関係を有することを特徴とする。
【００２７】
本発明に係る表示特性較正方法では、前記複数色は赤、緑、青であることを特徴とする。
【００２８】
本発明に係る表示特性較正方法では、前記ゲイン定数は、複数色のいずれかのゲイン定数を最大値に設定してあることを特徴とする。
【００２９】
本発明に係る表示特性較正方法では、前記入力階調の複数階調は入力階調の全階調であることを特徴とする。
【００３０】
本発明に係る表示特性較正方法では、前記カラー表示装置はカラー液晶表示装置であることを特徴とする。
【００３１】
本発明に係る表示特性較正装置は、複数色について表示入力階調を表示出力階調に変換する変換テーブルを有する変換部と、該変換部から出力される前記表示出力階調に複数色別の所定のゲイン定数を乗じて調整階調として出力するゲイン調整部と、前記調整階調に応じた表示を行うカラー表示部とを備えるカラー表示装置の表示特性を較正する表示特性較正装置において、前記カラー表示部の輝度及び白色度を測定する光学センサと、前記表示特性を較正するための処理を制御する制御部とを備え、該制御部は、前記表示入力階調と表示出力階調との相関を所定の関数に対応させて変換テーブルを初期較正する第１過程と、初期較正した複数色の変換テーブルの表示入力階調を最大階調とし、前記光学センサを介してカラー表示部の輝度及び白色度を測定し、前記輝度及び白色度が目標輝度及び目標白色度になるようにゲイン定数を設定する第２過程と、ゲイン定数を設定した後、複数色それぞれの単色画面を表示し、前記光学センサを介して複数色の単色画面輝度を測定する第３過程と、ゲイン定数を設定した後、表示入力階調の複数階調で白色画面を表示し、前記光学センサを介して白色輝度及び複数色の単色輝度を測定する第４過程と、表示入力階調の複数階調での単色輝度に、表示入力階調に対応する表示出力階調を適用して複数色の表示出力階調対単色輝度相関特性を求める第５過程と、予め設定されている目標表示特性と、予め設定されている表示入力階調が最大階調のときの目標輝度及び表示入力階調が最小階調のときの目標輝度とを用いて表示入力階調の複数階調での目標白色輝度を算出し、表示入力階調対目標白色輝度相関特性を求める第６過程と、前記複数色の単色画面輝度の割合を用いて表示入力階調の複数階調での前記目標白色輝度を比例配分することにより表示入力階調の複数階調での目標単色輝度を算出して複数色の表示入力階調対目標単色輝度相関特性を求める第７過程と、表示入力階調の複数階調について、複数色の表示入力階調対目標単色輝度相関特性での目標単色輝度に相当する輝度を示す表示出力階調を表示出力階調対単色輝度相関特性から較正用表示出力階調として求め、該較正用表示出力階調を表示入力階調に対応させて複数色の変換テーブルを較正する第８過程との処理を制御する構成としてあることを特徴とする。
【００３２】
本発明に係る表示特性較正装置では、前記カラー表示装置はバックライトを備えるカラー液晶表示装置であり、前記第２過程では、バックライトの輝度が並行して制御される構成としてあることを特徴とする。
【００３３】
本発明に係る表示特性較正装置では、前記光学センサが測定する複数色の単色輝度は相対値で表され、該単色輝度を正規化して第５過程での単色輝度を算出する構成としてあることを特徴とする。
【００３４】
本発明に係る表示特性較正装置では、前記光学センサは輝度と色度の測定が可能としてあり、測定された輝度と色度から第４過程での単色輝度を算出する構成としてあることを特徴とする。
【００３５】
本発明に係るコンピュータプログラムは、複数色について表示入力階調を表示出力階調に変換する変換テーブルを有する変換部と、該変換部から出力される前記表示出力階調に複数色別の所定のゲイン定数を乗じて調整階調として出力するゲイン調整部と、前記調整階調に応じた表示を行うカラー表示部とを備えるカラー表示装置の表示特性の較正をコンピュータに実行させるコンピュータプログラムにおいて、コンピュータに、前記表示入力階調と表示出力階調との相関を所定の関数に対応させて変換テーブルを初期較正する第１過程と、初期較正した複数色の変換テーブルの表示入力階調を最大階調とし、前記カラー表示部の輝度及び白色度が仮目標輝度及び目標白色度になるようにゲイン定数を設定する第２過程と、ゲイン定数を設定した後、複数色それぞれの単色画面を表示して複数色の１次単色画面輝度を求める第３過程と、ゲイン定数を設定した後、表示入力階調の複数階調で白色画面を表示して白色輝度及び複数色の１次単色輝度を求める第４過程と、表示入力階調の複数階調での単色輝度に、表示入力階調に対応する表示出力階調を適用して複数色の１次表示出力階調対単色輝度相関特性を求める第５過程と、予め設定されている目標表示特性と、予め設定されている表示入力階調が最大階調のときの仮目標輝度及び表示入力階調が最小階調のときの仮目標輝度とを用いて表示入力階調の複数階調での１次目標白色輝度を算出し、１次表示入力階調対目標白色輝度相関特性を求める第６過程と、前記複数色の１次単色画面輝度の割合を用いて表示入力階調の複数階調での前記１次目標白色輝度を比例配分することにより表示入力階調の複数階調での目標単色輝度を算出して複数色の１次表示入力階調対目標単色輝度相関特性を求める第７過程と、表示入力階調の複数階調について、複数色の１次表示入力階調対目標単色輝度相関特性での目標単色輝度に相当する輝度を示す表示出力階調を１次表示出力階調対単色輝度相関特性から較正用表示出力階調として求め、該較正用表示出力階調を表示入力階調に対応させて複数色の変換テーブルを較正する第８過程とを実行させることを特徴とする。
【００３６】
本発明に係るコンピュータプログラムでは、コンピュータに、前記第８過程の後に、複数色それぞれの単色画面を表示して複数色の２次単色画面輝度を求める第９過程と、表示入力階調の複数階調で白色画面を表示して白色輝度及び複数色の２次単色輝度を求める第１０過程と、２次単色画面輝度を基準にして複数色の２次単色輝度を表示入力階調についてそれぞれ正規化し、正規化した複数色の２次単色輝度の割合を用いて第１０過程で求めた白色輝度を比例配分することにより表示入力階調の複数階調での単色輝度を算出し、表示入力階調に対応する表示出力階調を適用して複数色の２次表示出力階調対単色輝度相関特性を求める第１１過程と、予め設定されている目標表示特性と、予め設定されている表示入力階調が最大階調のときの目標輝度及び表示入力階調が最小階調のときの目標輝度とを用いて表示入力階調の複数階調での２次目標白色輝度を算出し、２次表示入力階調対目標白色輝度相関特性を求める第１２過程と、前記複数色の２次単色画面輝度の割合を用いて表示入力階調の複数階調での前記２次目標白色輝度を比例配分することにより表示入力階調の複数階調での目標単色輝度を算出して複数色の２次表示入力階調対目標単色輝度相関特性を求める第１３過程と、表示入力階調の複数階調について、複数色の２次表示入力階調対目標単色輝度相関特性での目標単色輝度に相当する輝度を示す表示出力階調を２次表示出力階調対単色輝度相関特性から較正用表示出力階調として求め、該較正用表示出力階調を表示入力階調に対応させて複数色の変換テーブルを較正する第１４過程とを実行させることを特徴とする。
【００３７】
本発明に係るコンピュータプログラムでは、コンピュータに、前記第８過程の後に、表示入力階調の複数階調で白色画面を表示して白色輝度を求め、表示入力階調に対応する表示出力階調を適用して表示出力階調対白色輝度相関特性を求める第１５過程と、予め設定されている目標表示特性と、予め設定されている表示入力階調が最大階調のときの目標輝度及び表示入力階調が最小階調のときの目標輝度とを用いて表示入力階調の複数階調での２次目標白色輝度を算出し、２次表示入力階調対目標白色輝度相関特性を求める第１６過程と、表示入力階調の複数階調について、２次表示入力階調対白色輝度相関特性での２次目標白色輝度に相当する輝度を示す表示出力階調を表示出力階調対白色輝度相関特性から較正用表示出力階調として求め、該較正用表示出力階調を表示入力階調に対応させて複数色の変換テーブルを較正する第１７過程とを実行させることを特徴とする。
【００３８】
本発明にあっては、表示入力階調の複数階調について白色画面を表示して求めた輝度（白色輝度、単色輝度）及び色度（白色度）に基づいて複数色（ＲＧＢ各色）の変換テーブルの較正を行うことにより、白色表示の際の表示特性（γ特性）をより正確に制御することができることから、白黒表示での階調表示を極めて正確にすることができるカラー表示装置の表示特性を較正するための表示特性較正方法、表示特性較正装置及びコンピュータプログラムを提供する。
【００３９】
本発明にあっては、厳密な加法混色が成立しないカラー液晶表示装置に適用して白黒表示の際の表示特性（γ特性）を正確にすることができる表示特性較正方法、表示特性較正装置及びコンピュータプログラムを提供する。
【発明の効果】
【００４０】
本発明によれば、表示入力階調の複数階調について白色画面を表示して求めた輝度（白色輝度、単色輝度）、白色度に基づいて複数色（ＲＧＢ各色）の変換テーブルの較正を行うことにより、白色のγ特性を極めて正確に制御できるカラー表示装置の表示特性を較正する表示特性較正方法、カラー表示装置の表示特性を較正する表示特性較正装置及びカラー表示装置の表示特性の較正をコンピュータに実行させるコンピュータプログラムを実現できる。
【００４１】
本発明によれば、白黒表示が必要になる画像表示をする場合（例えば、レントゲン画像の表示）には階調を正確に表示するので、画像の白黒判定が正確に行え、極めて有効なカラー表示装置を実現できる。特にカラー液晶表示装置のように加法混色を用いて表示するカラー表示装置においては極めて優れた白黒表示の階調表示を行うことができる。
【発明を実施するための最良の形態】
【００４２】
以下の実施の形態では、カラー表示装置としてカラー液晶表示装置、カラー表示部としてカラー液晶表示部を例に示すが、カラー液晶表示装置に限らず、陰極線管（ＣＲＴ）などにも適用できる。また、複数色の例として、ＲＧＢ３原色の場合を示すが、これに限るものではない。
【００４３】
実施の形態１．
図１は本発明の実施の形態１に係る表示特性較正方法を実現するための概略ブロック図を示す。１０はカラー表示装置としてのカラー液晶表示装置（以下、液晶モニタ）である。液晶モニタ１０は、カラー表示部としてのカラー液晶表示部（以下、ＬＣＤパネル）１１、変換部１２、変換テーブル（以下、ＬＵＴ）１３、モニタ通信部１４、光源制御部１５、光源１６を備える。変換部１２はＬＵＴ１３を備え、ＬＵＴ１３は複数色、具体的には例えばＲＧＢの３原色に対応するＬＵＴ１３Ｒ（赤色用ＬＵＴ）、ＬＵＴ１３Ｇ（緑色用ＬＵＴ）、ＬＵＴ１３Ｂ（青色用ＬＵＴ）を備える。変換部１２は適宜専用のＬＳＩ（ＡＳＩＣ）で構成することができる。液晶モニタ１０には、コンピュータ（以下、ＰＣ）２０が接続され、ＬＣＤパネル１１の表示画面には光学センサ３０が取り付けられている。
【００４４】
ＲＧＢ各色のＬＵＴ１３Ｒ、１３Ｇ、１３Ｂはそれぞれ、表示入力階調Ｌと表示出力階調Ｐとを対応させて、表示入力階調Ｌを表示出力階調Ｐに変換する。表示入力階調Ｌは例えば、８ビットで構成され、２５６の階調数が可能であり、階調０から階調２５５までの階調値を取りうる構成としてある。表示出力階調Ｐは例えば、１０ビットで構成され、１０２４の階調数が可能であり、階調０から階調１０２３までの階調数を取りうる構成としてある。例えば、ＬＵＴ１３Ｒでは、表示入力階調Ｌの階調（０，１，２，・・・２５３，２５４，２５５）に対して表示出力階調Ｐの階調（０，２，５，・・・９８８，１００３，１０２３）のように対応付けがされ、この対応に応じた階調の変換がなされ、表示パネル１１の表示特性に応じた補正（γ補正）が行われる。
【００４５】
表示出力階調Ｐのビット数を表示入力階調Ｌのビット数より多くすることで表示特性に応じたより精細な補正が可能となる。また、ＬＵＴ１３による変換だけでなく、光源１６の輝度を並行して制御することによってもＬＣＤパネル１１の輝度を制御することができる。
【００４６】
ＰＣ２０から変換部１２へ、モニタ入力信号Ｓｍｉが入力される。モニタ入力信号Ｓｍｉは通常、ＬＵＴ１３の表示入力階調Ｌに対応する信号として入力される。変換部１２からＬＣＤパネル１１へ、パネル入力信号Ｓｐｉが入力される。パネル入力信号Ｓｐｉは通常、表示出力階調Ｐに対応する信号として入力される。つまり、モニタ入力信号Ｓｍｉ（表示入力階調Ｌ）はパネル入力信号Ｓｐｉ（表示出力階調Ｐ）へと変換され、ＬＣＤパネル１１の表示特性を補正（較正）することができる。ＬＣＤパネル１１、光源１６の特性は製品ごとにばらつくことから、製品ごとに表示特性を補正することが望ましく、本発明では製品ごとの表示特性の補正が極めて簡単かつ正確にすることができる。
【００４７】
モニタ通信部１４は、ＰＣ２０から入力されたモニタ制御信号Ｓｍｃに基づいて、光源制御信号Ｓｂｃを光源制御部１５へ出力し、光源制御部１５は光源制御信号Ｓｂｃに応じた光源電流Ｉｗを光源１６に供給して光源１６の輝度を調整する。光源制御部１５は周波数を変更することで光源電流Ｉｗを制御できるインバータなどで構成される。光源１６は陰極管や発光ダイオードなどで構成され、通常バックライトといわれる。光源制御部１５及び光源１６は、共に透過型液晶表示装置の場合に用いられるものである。更に光源制御部１５は光源１６の色度を調整できるように構成しても良い。また、モニタ通信部１４は、ＰＣ２０から入力されたモニタ制御信号Ｓｍｃに基づいて、較正信号Ｓｃａを変換部１２へ出力し、ＬＵＴ１３での表示入力階調Ｌと表示出力階調Ｐとの対応関係（相関関係）を書き換え、ＬＵＴ１３の較正を行う。
【００４８】
光学センサ３０はＬＣＤパネル１１の表示画面に対向して装着され、ＬＣＤパネル１１から放射される表示光１１ｄを測定できる。つまり、白色画面の白色輝度、白色画面でのＲＧＢ各色の輝度（例えば、輝度の絶対値）、白色度を測定できるものである。光学センサ３０は、Ｒフィルタ、Ｇフィルタ、Ｂフィルタを備え、白色画面からの表示光を適宜分光してＲＧＢ各色の単色輝度を絶対値として測定することができる。光学センサ３０の測定値は光学センサ信号Ｓｐｓとして、ＰＣ２０へ入力される。この際の光学センサ信号ＳｐｓはＰＣ２０での処理が可能な形態で光学センサ３０から出力される。
【００４９】
図２は本発明の実施の形態に用いるコンピュータの概略構成を示すブロック図である。ＰＣ２０は、中央処理装置（以下、ＣＰＵ）２１にバスを介してプログラム記憶部２２、センサ信号入力部２３、モニタ制御部２４が接続された構成としてある。ＣＰＵ２１は単独で又は他の構成部分と連携して、本発明に係る各種の処理を行う制御部として動作する。プログラム記憶部２２は、本発明に係る各種の処理を行うコンピュータプログラムを記憶するもので、変換テーブル較正プログラム（本発明に係る表示特性較正方法をコンピュータに実行させるためのコンピュータプログラム）などが記録されたＣＤ−ＲＯＭなどの外部の記録媒体２５からコンピュータプログラムを取り込む形態としてある。
【００５０】
外部から記録媒体２５を介してコンピュータプログラムを取り込むことができるので、本発明に係る表示特性較正方法の実行が極めて容易になる。変換テーブル較正プログラムとしては、本発明に係る部分以外は一般に知られた変換テーブル較正プログラムを適用することができる。本発明に係るコンピュータプログラム（変換テーブル較正プログラム）を記録媒体に記録して表示装置の表示特性較正用として流通させることも可能である。
【００５１】
センサ信号入力部２３には、光学センサ３０から出力された光学センサ信号Ｓｐｓが入力される。光学センサ信号ＳｐｓはＣＰＵ２１により適宜処理され、本発明に係る表示特性較正方法を実行する。モニタ制御部２４はＣＰＵ２１（ＰＣ２０）と液晶モニタ１０とのインターフェイスであり、モニタ入力信号Ｓｍｉを変換部１２へ、モニタ制御信号Ｓｍｃをモニタ通信部１４へ出力する構成としてある。
【００５２】
図３は本発明の実施の形態１に係る表示特性較正方法を実行するときのフローチャートである。まず、ＰＣ２０に液晶モニタ１０、光学センサ３０を接続して変換テーブル較正プログラムを起動する。その後、以下のステップを実行する。なお、以下のステップにおいて、ステップの順はこれに限るものではなく、また必要に応じて、あるステップが他のステップと同時並行的に処理されることもある。
【００５３】
ステップ１（Ｓ１）：較正を行うユーザが較正目標を設定する。ＲＧＢ各色の表示入力階調Ｌが最大階調Ｌ（Ｒ，Ｇ，Ｂ）＝（Ｌｒ，Ｌｇ，Ｌｂ）＝Ｌ（２５５，２５５，２５５）のときの目標輝度ＴＹｍａｘ（最大目標輝度）、ＲＧＢ各色の表示入力階調Ｌが最小階調Ｌ（Ｒ，Ｇ，Ｂ）＝（Ｌｒ，Ｌｇ，Ｌｂ）＝Ｌ（０，０，０）のときの目標輝度ＴＹｍｉｎ（最小目標輝度）、目標白色度（ｔｘ，ｔｙ）、目標γ特性を設定する。これらの設定はコンピュータ画面にＧＵＩ環境を設けることにより、ウインドウ、ダイアログボックスなどから適宜入力できる構成にしてある。なお、目標白色度（ｔｘ，ｔｙ）は色温度で代用することもできる。
【００５４】
これらの目標値の設定がされた後は、ＰＣ２０が変換テーブル較正プログラムに基づいて処理を進める。変換テーブル較正プログラムが開始されると、白色画面が表示されるので、その部分に光学センサ３０を装着し、表示画面の光学特性の測定を行わせる。変換テーブル較正プログラムは液晶モニタ１０、光学センサ３０と相互に通信をしながら変換テーブル較正プログラムによる変換テーブル（ＬＵＴ１３）の較正処理を進める。
【００５５】
ステップ２（Ｓ２）：ＲＧＢ各色のＬＵＴ１３（ＬＵＴ１３Ｒ、ＬＵＴ１３Ｇ、ＬＵＴ１３Ｂ）を初期化する。つまり、各色の表示入力階調Ｌを最大階調Ｌ（２５５，２５５，２５５）として、白色画面を表示する。この白色画面を表示した状態で、各色の表示出力階調Ｐ（Ｒ，Ｇ，Ｂ）を調整し、ＬＣＤパネル１１の輝度及び白色度を光学センサ３０で測定する。測定したＬＣＤパネル１１の輝度及び白色度が仮目標輝度（１．０５×ＴＹｍａｘ）及び目標白色度（ｔｘ，ｔｙ）になる表示出力階調Ｐ（Ｒ，Ｇ，Ｂ）を初期較正用表示出力階調として求める。例えば、表示入力階調Ｌの最大階調Ｌ（２５５，２５５，２５５）に対して、表示出力階調Ｐ（１０２３，１０１８，９９６）のように求める。この際、表示出力階調Ｐの調整に加え、光源電流Ｉｗも適宜調整することにより較正することが望ましい。
【００５６】
表示入力階調Ｌの最大階調Ｌ（２５５，２５５，２５５）と求めた初期較正用表示出力階調Ｐ（１０２３，１０１８，９９６）とを対応させて、表示入力階調Ｌと表示出力階調Ｐとの相関が所定の関数になるようにしてＲＧＢ各色のＬＵＴ１３（ＬＵＴ１３Ｒ、ＬＵＴ１３Ｇ、ＬＵＴ１３Ｂ）を初期較正する。所定の関数は表示入力階調Ｌと表示出力階調Ｐとの相関を明確に規定するものであればよく、リニアであれば計算が容易になる。なお、初期較正のとき、仮目標輝度は目標輝度ＴＹｍａｘの例えば５％増し（１．０５×ＴＹｍａｘ）として設定してある。ＬＣＤパネル１１の最大輝度は基本的には光源電流Ｉｗにより支配され、ＬＣＤパネル１１、ＬＵＴ１３（表示入力階調Ｌ）では、輝度を下げる方向での調整となることから、最終調整の余地を残すために白色画面の輝度は最終的な目標である目標輝度ＴＹｍａｘより若干大きくしておくものである。また、ＬＵＴ１３の階調調整能力を効果的にするために、初期較正用表示出力階調Ｐ（Ｒ，Ｇ，Ｂ）のいずれか（Ｐｒ、Ｐｇ、Ｐｂのいずれか）は、最大階調となるように調整することが望ましい。ここでは、表示出力階調Ｐ（１０２３，１０１８，９９６）として示したように、赤の表示出力階調Ｐｒを表示出力階調の最大階調１０２３としている。
【００５７】
ステップ３（Ｓ３）：較正したＲＧＢ各色のＬＵＴ１３（ＬＵＴ１３Ｒ、ＬＵＴ１３Ｇ、ＬＵＴ１３Ｂ）を用いて、表示入力階調の複数階調（必要に応じて全階調とすればより精密な較正が可能となる。以下では複数階調とするが、各階調（例えば全階調）の場合を含む。）で、表示入力階調に対応させて白色画面を表示する。白色画面から表示入力階調の複数階調でのＲＧＢ各色の単色輝度（表示入力階調Ｌの階調をｉで示すと、表示入力階調Ｌｉ：単色輝度Ｙｒｉ，Ｙｇｉ，Ｙｂｉ）を測定する。単色輝度は光学センサ３０により、ＲＧＢ各色の絶対値として求められる。また、白色画面から所定階調での白色輝度も測定する。具体的には表示入力階調Ｌが最大階調（Ｌ２５５）のときの白色輝度（Ｙｗ２５５）、表示入力階調Ｌが最小階調（Ｌ０）のときの白色輝度（Ｙｗ０）である。
【００５８】
ステップ４（Ｓ４）：ステップ３で測定したＲＧＢ各色の単色輝度について、表示入力階調Ｌに対応する表示出力階調Ｐを適用することより、ＲＧＢ各色の１次表示出力階調対単色輝度相関特性（Ｒについて表示出力階調Ｐｒ：単色輝度Ｙｒｉ、Ｇについて表示出力階調Ｐｇ：単色輝度Ｙｇｉ、Ｂについて表示出力階調Ｐｂ：単色輝度Ｙｂｉ）を求める。このときの状況を後述する図４に示す。なお、「相関特性を求める」とは具体的なグラフなどを求めることではなく、相関データを演算可能なように記憶しておくことを意味する（以下においても同様である）。
【００５９】
ステップ５（Ｓ５）：予め設定されている目標γ特性と、前記白色画面から求めた表示入力階調が最大階調のときの白色輝度Ｙｗ２５５及び表示入力階調が最小階調のときの白色輝度Ｙｗ０とを用いて表示入力階調の複数階調での１次目標白色輝度ｆＴＹｗｉを算出し、１次表示入力階調対目標白色輝度相関特性（表示入力階調Ｌｉ：１次目標白色輝度ｆＴＹｗｉ）を求める。目標γ特性は計算式で規定することができ、γ値ｔγを用いて表示入力階調ｉで示すと、例えば式（１）で示される。なお、目標γ特性は各種規格などで定められており、式（１）で示されるものには限らない。目標γ特性の状況を後述する図５（ａ）に示す。
ｆＴＹｗｉ＝（Ｙｗ２５５−Ｙｗ０）×（ｉ／２５５）tγ＋Ｙｗ０・・・（１）
【００６０】
ステップ６（Ｓ６）：表示入力階調Ｌが最大階調（Ｌ２５５）のときのＲＧＢの単色輝度の割合をｓ：ｔ：ｕ＝Ｙｒ２５５／（Ｙｒ２５５＋Ｙｇ２５５＋Ｙｂ２５５）：Ｙｇ２５５／（Ｙｒ２５５＋Ｙｇ２５５＋Ｙｂ２５５）：Ｙｂ２５５／（Ｙｒ２５５＋Ｙｇ２５５＋Ｙｂ２５５）として求める。この単色輝度の割合ｓ：ｔ：ｕ（ｓ＋ｔ＋ｕ＝１）を用いて表示入力階調Ｌの複数階調での前記１次目標白色輝度（ｆＴＹｗｉ）を比例配分（ｓ×ｆＴＹｗｉ：ｔ×ｆＴＹｗｉ：ｕ×ｆＴＹｗｉ）することにより表示入力階調の複数階調でのＲＧＢ各色の目標単色輝度ＴＹｒｉ（＝ｓ×ｆＴＹｗｉ）、ＴＹｇｉ（＝ｔ×ｆＴＹｗｉ）、ＴＹｂｉ（＝ｕ×ｆＴＹｗｉ）を算出してＲＧＢ各色の１次表示入力階調対目標単色輝度相関特性（表示入力階調Ｌｉ：目標単色輝度ＴＹｒｉ，ＴＹｇｉ，ＴＹｂｉ）を求める。状況を後述する図５（ｂ）〜（ｄ）に示す。表示入力階調Ｌが最大階調（Ｌ２５５）のときは、白色度を目標白色度（ｔｘ，ｔｙ）に調整しているので、このときの輝度割合を用いて表示入力階調Ｌの複数階調での目標単色輝度を求めることにより、表示入力階調Ｌでの目標単色輝度による白色度を一定にする（目標白色度を維持）することができる。
【００６１】
ステップ７（Ｓ７）：表示入力階調Ｌの複数階調について、ＲＧＢ各色の１次表示入力階調対目標単色輝度相関特性での目標単色輝度に相当する輝度を示す表示出力階調Ｐを１次表示出力階調対単色輝度相関特性から較正用表示出力階調として求め、該較正用表示出力階調を表示入力階調Ｌに対応させてＲＧＢ各色のＬＵＴ１３（ＬＵＴ１３Ｒ、ＬＵＴ１３Ｇ、ＬＵＴ１３Ｂ）を較正する。状況を後述する図６に示す。なお、表示入力階調Ｌと表示出力階調Ｐとは階調数が異なることから、１対１で階調（整数）が対応するわけではなく、較正用表示出力階調を求めるとき、中間点が相当することになる場合は補間法を用いて算出する。また、精度を維持できる桁を確保して適宜四捨五入を行う。補間法、四捨五入を用いる点は他のステップ、他の実施の形態でも同様である。この過程では、表示入力階調Ｌの最大階調Ｌ（２５５，２５５，２５５）と（初期較正用）表示出力階調Ｐ（１０２３，１０１８，９９６）との対応関係、表示入力階調Ｌの最小階調Ｌ（０，０，０）と表示出力階調Ｐの最小階調（０，０，０）との対応関係は固定しているので、これらの内側に含まれる表示入力階調Ｌ（２５４，２５４，２５４）〜Ｌ（１，１，１）に対応する表示出力階調Ｐが求まる。
【００６２】
求めたＬＵＴ１３は、近似を用いて加法混色が成立することを前提にしているため、輝度と色度にズレ（特に輝度）を生じる。例えば、ステップ２６で求めた１次表示出力階調対単色輝度相関特性は、各色が独立しているという前提で算出しているが、実際にはＬＣＤパネル１１では、ＲＧＢ各色に相互関係（例えば、Ｒの輝度はＧ、Ｂの輝度に影響される）がある。輝度、色度のズレを調整するために以下のステップをさらに追加する。
【００６３】
ステップ８（Ｓ８）：較正したＲＧＢ各色のＬＵＴ１３（ＬＵＴ１３Ｒ、ＬＵＴ１３Ｇ、ＬＵＴ１３Ｂ）を用いて、ステップ３と同様に、表示入力階調Ｌの複数階調について較正白色画面を表示し、較正白色画面から表示入力階調Ｌの複数階調でのＲＧＢ各色の単色輝度を測定する。
【００６４】
ステップ９（Ｓ９）：ＲＧＢ各色の単色輝度について、ステップ４と同様に、表示入力階調Ｌに対応する表示出力階調Ｐを適用してＲＧＢ各色の２次表示出力階調対単色輝度相関特性を求める。
【００６５】
ステップ１０（Ｓ１０）：表示入力階調Ｌの複数階調について、ステップ７と同様に、ＲＧＢ各色の１次表示入力階調対目標単色輝度相関特性での目標単色輝度に相当する輝度を示す表示出力階調Ｐを２次表示出力階調対単色輝度相関特性から較正用表示出力階調として求め、較正用表示出力階調を表示入力階調に対応させてＲＧＢ各色のＬＵＴ１３（ＬＵＴ１３Ｒ、ＬＵＴ１３Ｇ、ＬＵＴ１３Ｂ）を較正する。
【００６６】
ステップ１１（Ｓ１１）：２次表示出力階調対単色輝度相関特性は収束したか否かを判断する。収束した場合にはステップ１２へ進む。収束するまで、ステップ８からステップ１０までの各ステップを繰返す。
【００６７】
ステップ１２（Ｓ１２）：目標γ特性と、予め設定されている表示入力階調Ｌの最大階調（Ｌ２５５）での目標輝度ＴＹｍａｘ及び最小階調（Ｌ０）での目標輝度ＴＹｍｉｎを用いて、表示入力階調Ｌの複数階調での２次目標白色輝度ｓＴＹｗｉを算出し、２次表示入力階調対目標白色輝度相関特性（表示入力階調Ｌｉ：２次目標白色輝度ｓＴＹｗｉ）を求める。このときのｓＴＹｗｉの計算式はステップ５で用いた式（１）であり、定数として代入する数値が異なるのみである。つまり、Ｙｗ２５５の代わりにＴＹｍａｘを、Ｙｗ０の代わりにＴＹｍｉｎを用いる。
【００６８】
ステップ１３（Ｓ１３）：単色輝度の割合ｓ：ｔ：ｕ（ステップ６）を用いて表示入力階調Ｌの複数階調での２次目標白色輝度を比例配分することにより表示入力階調Ｌの複数階調でのＲＧＢ各色の目標単色輝度を算出してＲＧＢ各色の２次表示入力階調対目標単色輝度相関特性を求める
【００６９】
ステップ１４（Ｓ１４）：表示入力階調Ｌの複数階調について、ＲＧＢ各色の２次表示入力階調対目標単色輝度相関特性での目標単色輝度に相当する輝度を示す表示出力階調Ｐを前記収束させた２次表示出力階調対単色輝度相関特性から較正用表示出力階調として求め、較正用表示出力階調を表示入力階調に対応させてＲＧＢ各色のＬＵＴ１３（ＬＵＴ１３Ｒ、ＬＵＴ１３Ｇ、ＬＵＴ１３Ｂ）を較正する。２次目標白色輝度ｓＴＹｗｉは、表示入力階調Ｌの最大階調（Ｌ（２５５，２５５，２５５））での目標輝度、最小階調（Ｌ（０，０，０））での目標輝度を考慮しているから、この過程では、表示入力階調Ｌの全範囲であるＬ（２５５，２５５，２５５）〜Ｌ（０，０，０）に対応する表示出力階調Ｐを求めることができる。
【００７０】
図４は本発明の実施の形態１で求める１次表示出力階調対単色輝度相関特性を示す説明図である。（ａ）はＲの単色輝度Ｙｒｉと表示出力階調Ｐｒとの相関特性を、（ｂ）はＧの単色輝度Ｙｇｉと表示出力階調Ｐｇとの相関特性を、（ｃ）はＢの単色輝度Ｙｂｉと表示出力階調Ｐｂとの相関特性を示す。ステップ４で求める表示出力階調Ｐに対する単色輝度Ｙｒｉ、Ｙｇｉ、Ｙｂｉの概略状況が示される。
【００７１】
図５は本発明の実施の形態１で求める１次表示入力階調対目標白色輝度相関特性及び１次表示入力階調対目標単色輝度相関特性を示す説明図である。（ａ）は１次表示入力階調Ｌｉと目標白色輝度との相関特性を示す。ステップ５の式（１）から求めた１次目標白色輝度（ｆＴＹｗｉ）の概略状況が示される。（ｂ）は１次表示入力階調ＬｉとＲの目標単色輝度ＴＹｒｉの相関特性を、（ｃ）は１次表示入力階調ＬｉとＧの目標単色輝度ＴＹｇｉの相関特性を、（ｄ）は１次表示入力階調ＬｉとＢの目標単色輝度ＴＹｂｉの相関特性を示す。ＲＧＢ各色の目標単色輝度ＴＹｒｉ、ＴＹｇｉ、ＴＹｂｉは、ステップＳ６で示すように、１次目標白色輝度（ｆＴＹｗｉ）を単色輝度割合ｓ：ｔ：ｕで比例配分することにより求められる。
【００７２】
図６は本発明の実施の形態１で求める較正用表示出力階調によりＬＵＴを較正する状態を示す説明図である。Ｒでの状態のみを示すが、Ｇ、Ｂについても同様である。（ａ）は１次表示入力階調対目標単色輝度相関特性の「ある」階調（Ｌｍ）での目標単色輝度ＴＹｒｉ＝Ａを求める状況を、（ｂ）は１次表示出力階調対単色輝度相関特性から目標単色輝度ＴＹｒｉ＝Ａに相当する輝度を示す表示出力階調Ｐを較正用表示出力Ｐｎとして求めた状況を示す。（ｃ）は較正前のＬＵＴであり、表示入力階調Ｌｍに対して表示出力階調Ｐｍであることをしめす。（ｄ）は較正後のＬＵＴであり、表示入力階調Ｌｍに対して表示出力階調Ｐを表示出力階調Ｐｎで較正した状態をしめす。
【００７３】
実施の形態２．
図７は本発明の実施の形態２に係る表示特性較正方法を実現するための要部ブロック図を示す。本実施の形態に用いる基本構成は実施の形態１の図１、図２と同様であるが、主として変換部１２の構成を変えたものである。その他の部分は基本的に共通するので詳細な説明は適宜省略する。液晶モニタ１０、ＬＣＤパネル１１、ＬＵＴ１３、モニタ通信部１４、光源制御部１５、光源１６、光学センサ３０、ＰＣ２０は図１の場合と同様であるので図示を省略する。変換部１２はＬＵＴ１３、ゲイン調整部１７、ＬＵＴａ１８をさらに備える。
【００７４】
本実施の形態での光学センサ３０は、図１の場合と同様、ＬＣＤパネル１１の表示画面に対向して装着され、ＬＣＤパネル１１から放射される表示光１１ｄを測定できる。図１の場合の光学センサ３０と異なる点は、白色画面からの表示光を適宜分光してＲＧＢ各色の単色輝度を測定する場合に、絶対値としての単色輝度ではなく、相対的な単色輝度（相対値としての単色輝度、つまり単色相対輝度）として測定することである。つまり、表示画面の白色輝度、ＲＧＢ各色の単色画面の輝度（単色画面輝度）、単色相対輝度、白色度を測定できるものである。
【００７５】
図１の場合と同様に、ＰＣ２０から変換部１２へ、モニタ入力信号Ｓｍｉが入力される。モニタ入力信号Ｓｍｉは通常、ＬＵＴ１３の表示入力階調Ｌに対応する信号として入力される。ＬＵＴ１３により、モニタ入力信号Ｓｍｉ（表示入力階調Ｌ）は表示出力階調Ｐへと変換され、表示出力階調Ｐはゲイン調整部１７へ入力される。ゲイン調整部１７で表示出力階調Ｐにゲイン定数Ｇａ（０＜Ｇａ≦１）を乗じて、調整信号（Ｇａ×Ｐ）として追加変換テーブル（以下、ＬＵＴａ）１８へ入力し、ＬＵＴａ１８を介してＬＣＤパネル１１へパネル入力信号Ｓｐｉを入力する。つまり、変換部１２からパネル入力信号ＳｐｉがＬＣＤパネル１１へ入力される。本実施の形態では表示出力階調Ｐに所定のゲイン定数Ｇａを乗じてパネル入力信号Ｓｐｉを調整しているので、ＬＵＴ１３の表示入力階調Ｌと表示出力階調Ｐとが相関関係を有する階調範囲を広くでき、より精密な階調制御ができる。
【００７６】
ＬＵＴａ１８は、ＬＣＤパネル１１のγ特性補正用のものであり、本実施の形態ではＬＵＴａ１８の表示入力階調Ｌと表示出力階調Ｐとの間に比例関係を持たせて固定することから実質上存在しないことと等価であるので、以下説明では無視する。ゲイン調整部１７を用いて調整信号を形成するので、パネル入力信号Ｓｐｉは調整信号（及びＬＵＴ１３の表示出力階調Ｐ）に応じた信号となり、ＬＣＤパネル１１は調整信号（及びＬＵＴ１３の表示出力階調Ｐ）に応じた輝度の表示をすることになる。また、図１の場合と同様に、モニタ通信部１４は、ＰＣ２０から入力されたモニタ制御信号Ｓｍｃに基づいて、較正信号Ｓｃａを変換部１２へ出力し、ＬＵＴ１３での表示入力階調Ｌと表示出力階調Ｐとの対応関係（相関関係）を書き換え、ＬＵＴ１３の較正を行う。また、モニタ通信部１４は、較正信号Ｓｃａにより、ゲイン調整部１７のゲイン調整を行う。
【００７７】
図８は本発明の実施の形態２に係る表示特性較正方法を実行するときのフローチャートである。まず、ＰＣ２０に液晶モニタ１０、光学センサ３０を接続して変換テーブル較正プログラムを起動する。その後、実施の形態１の場合と同様に以下のステップを実行する。なお、以下のステップにおいて、ステップの順はこれに限るものではなく、また必要に応じて、あるステップが他のステップと同時並行的に処理されることもある。
【００７８】
ステップ２１（Ｓ２１）：ステップ１と同様に、較正を行うユーザが較正目標を設定する。表示入力階調Ｌが最大階調Ｌ（Ｒ，Ｇ，Ｂ）＝（Ｌｒ，Ｌｇ，Ｌｂ）＝Ｌ（２５５，２５５，２５５）のときの目標輝度ＴＹｍａｘ（最大目標輝度）、表示入力階調Ｌが最小階調Ｌ（Ｒ，Ｇ，Ｂ）＝Ｌ（０，０，０）のときの目標輝度ＴＹｍｉｎ（最小目標輝度）、目標白色度（ｔｘ，ｔｙ）、目標γ特性を設定する。
【００７９】
ステップ２２（Ｓ２２）：ＲＧＢ各色のＬＵＴ１３（ＬＵＴ１３Ｒ、ＬＵＴ１３Ｇ、ＬＵＴ１３Ｂ）を初期化する。すなわち、各色の表示入力階調Ｌの最大階調Ｌ（２５５，２５５，２５５）と表示出力階調Ｐの最大階調（１０２３，１０２３，１０２３）とを対応させ、最小階調Ｌ（０，０，０）と最小階調Ｐ（０，０，０）とを対応させ、中間は所定の関数に対応させてＬＵＴ１３を較正する。所定の関数は表示入力階調Ｌと表示出力階調Ｐとの相関を明確に規定するものであればよく、リニアであれば計算が容易になる。
【００８０】
ステップ２３（Ｓ２３）：ＲＧＢ各色の表示入力階調Ｌを最大階調Ｌ（２５５，２５５，２５５）として、白色画面を表示する。この白色画面を表示した状態で、各色のゲイン定数Ｇａ（Ｒのゲイン定数Ｇａｒ、Ｇのゲイン定数Ｇａｇ、Ｂのゲイン定数Ｇａｂ）を調整し、ＬＣＤパネル１１の輝度及び白色度を光学センサ３０で測定する。測定したＬＣＤパネル１１の輝度及び白色度が仮目標輝度（１．２×ＴＹｍａｘ）及び目標白色度（ｔｘ，ｔｙ）になるゲイン定数Ｇａ（Ｒのゲイン定数Ｇａｒ、Ｇのゲイン定数Ｇａｇ、Ｂのゲイン定数Ｇａｂ）を設定する。この際、ゲイン定数Ｇａの調整に加え、光源電流Ｉｗも適宜調整することにより較正することが望ましい。なお、初期較正のとき、仮目標輝度は目標輝度ＴＹｍａｘの例えば２０％増し（１．２×ＴＹｍａｘ）として設定してある。ＬＣＤパネル１１の最大輝度は基本的には光源電流Ｉｗにより支配され、ＬＣＤパネル１１、ＬＵＴ１３（表示入力階調Ｌ）では、輝度を下げる方向での調整となることから、最終調整の余地を残すために白色画面の輝度は最終的な目標である目標輝度ＴＹｍａｘより若干大きくしておくものである。
【００８１】
ステップ２４（Ｓ２４）：ＲＧＢ各色のゲイン定数Ｇａを設定した後、ＲＧＢ各色の単色画面を表示してＲＧＢ各色の１次単色画面輝度（単色画面輝度ＹＲ、ＹＧ、ＹＢ）を測定する。単色画面の表示は表示入力階調ＬをＲ表示の場合はＬ（２５５，０，０）、Ｇ表示の場合はＬ（０，２５５，０）、Ｂ表示の場合はＬ（０，０，２５５）とすることにより行う。
【００８２】
ステップ２５（Ｓ２５）：ゲイン定数を設定した後、表示入力階調の複数階調で白色画面を表示して白色輝度（表示入力階調Ｌの階調をｉで示すと、白色輝度Ｙｗｉ）及びＲＧＢ各色の１次単色相対輝度（Ｙｓｒｉ、Ｙｓｇｉ、Ｙｓｂｉ）を測定する
【００８３】
ステップ２６（Ｓ２６）：１次単色画面輝度（ＹＲ、ＹＧ、ＹＢ）を基準にしてＲＧＢ各色の１次単色相対輝度（Ｙｓｒｉ，Ｙｓｇｉ，Ｙｓｂｉ）を表示入力階調Ｌについてそれぞれ正規化する。例えばＲについては、Ｙｎｒｉ（正規化された１次単色相対輝度）＝ＹＲ×Ｙｓｒｉ／Ｙｓｒ２５５として求まる。Ｇ、Ｂについても同様であり以下適宜省略する。正規化した複数色の１次単色相対輝度の割合を用いて前記白色輝度Ｙｗｉを比例配分することにより表示入力階調Ｌの複数階調での単色輝度（Ｒ：Ｙｃｒｉ、Ｇ：Ｙｃｇｉ、Ｂ：Ｙｃｂｉ）を算出する。例えばＲについては、Ｙｃｒｉ＝Ｙｗｉ×Ｙｎｒｉ／（Ｙｎｒｉ＋Ｙｎｇｉ＋Ｙｎｂｉ）として算出できる。表示入力階調Ｌに対応する表示出力階調Ｐを適用してＲＧＢ各色の１次表示出力階調対単色輝度相関特性（表示出力階調Ｐ：単色輝度Ｙｃｒｉ，Ｙｃｇｉ，Ｙｃｂｉ）を求める。状況は図４と同様であるが、ステップ４では単色輝度は実測値で表されるのに対して、本ステップでは単色輝度は上述した通り計算で求められたものである点が異なる。
【００８４】
ステップ２７（Ｓ２７）：予め設定されている目標γ値と、予め設定されている表示入力階調Ｌが最大階調Ｌ２５５のときの仮目標輝度（１．０５×ＴＹｍａｘ）及び表示入力階調が最小階調Ｌ０のときの仮目標輝度（０．７×ＴＹｍｉｎ）とを用いて表示入力階調の複数階調での１次目標白色輝度ｆＴＹｗｉを算出し、１次表示入力階調対目標白色輝度相関特性（表示入力階調Ｌｉ：１次目標白色輝度ｆＴＹｗｉ）を求める。最大階調Ｌ２５５のときの仮目標輝度はステップ２３のときの仮目標輝度より目標輝度（ＴＹｍａｘ）に近い値（目標輝度の５％増し）を用いて、より正確な調整ができるようにする。最小階調Ｌ０のときの仮目標輝度は輝度を上げる方向での調整が可能であるので目標輝度（ＴＹｍｉｎ）の例えば０．７倍（目標輝度の３０％減）として、後のステップで最終的な調整が容易かつ確実にできるようにしておく。このときのｆＴＹｗｉの計算式はステップ５で用いた式（１）であり、定数として代入する数値が異なるのみである。つまり、式（１）で、Ｙｗ２５５の代わりに１．０５×ＴＹｍａｘを、Ｙｗ０の代わりに０．７×ＴＹｍｉｎを用いる。
【００８５】
ステップ２８（Ｓ２８）：前記ＲＧＢ各色の１次単色画面輝度（ＹＲ、ＹＧ、ＹＢ）の割合をｐ：ｑ：ｒ＝ＹＲ／（ＹＲ＋ＹＧ＋ＹＢ）：ＹＧ／（ＹＲ＋ＹＧ＋ＹＢ）：ＹＢ／（ＹＲ＋ＹＧ＋ＹＢ）として求める。１次単色画面輝度の割合ｐ：ｑ：ｒ（ｐ＋ｑ＋ｒ＝１）を用いて表示入力階調Ｌの複数階調での前記１次目標白色輝度ｆＴＹｗｉを比例配分（ｐ×ｆＴＹｗｉ：ｑ×ｆＴＹｗｉ：ｒ×ｆＴＹｗｉ）することにより表示入力階調の複数階調でのＲＧＢ各色の目標単色輝度ＴＹｒｉ（＝ｐ×ｆＴＹｗｉ）、ＴＹｇｉ（＝ｑ×ｆＴＹｗｉ）、ＴＹｂｉ（＝ｒ×ｆＴＹｗｉ）を算出してＲＧＢ各色の１次表示入力階調対目標単色輝度相関特性（表示入力階調Ｌｉ：目標単色輝度ＴＹｒｉ，ＴＹｇｉ，ＴＹｂｉ）を求める。状況は図５と同様である。１次単色画面輝度の割合を用いて表示入力階調Ｌの複数階調での目標単色輝度を求めることにより、表示入力階調Ｌでの目標単色輝度による白色度を一定にする（目標白色度を維持）することができる。
【００８６】
ステップ２９（Ｓ２９）：表示入力階調Ｌの複数階調について、ＲＧＢ各色の１次表示入力階調対目標単色輝度相関特性での目標単色輝度に相当する輝度を示す表示出力階調Ｐを１次表示出力階調対単色輝度相関特性から較正用表示出力階調として求め、該較正用表示出力階調を表示入力階調Ｌに対応させてＲＧＢ各色のＬＵＴ１３（ＬＵＴ１３Ｒ、ＬＵＴ１３Ｇ、ＬＵＴ１３Ｂ）を較正する。状況は図６と同様である。なお、本実施の形態では、表示入力階調Ｌの最大階調Ｌ（２５５，２５５，２５５）、最小階調Ｌ（０，０，０）についても、目標値を設定しているので、表示入力階調Ｌ（２５５，２５５，２５５）〜Ｌ（０，０，０）に対応する表示出力階調Ｐが求まる。
【００８７】
ステップ２９で求めたＬＵＴ１３は、近似を用いて加法混色が成立することを前提にしているため、輝度と色度にズレ（特に輝度）を生じる。例えば、ステップ２６で求めた１次表示出力階調対単色輝度相関特性は、各色が独立しているという前提で算出しているが、実際にはＬＣＤパネル１１では、ＲＧＢ各色に相互関係（例えば、Ｒの輝度はＧ、Ｂの輝度に影響される）がある。輝度、色度のズレを調整するために以下のステップをさらに追加する。
【００８８】
ステップ３０（Ｓ３０）：ＲＧＢ各色の単色画面を表示してＲＧＢ各色の２次単色画面輝度を求める。「２次」単色画面輝度としたのは「１次」単色画面輝度と同様なステップを繰返すことを示すため（他の値についても同様）であり、基本的な処理方法はステップ２４と同様である。繰返すことにより精度を向上するものであり、詳細な説明は省略する。
【００８９】
ステップ３１（Ｓ３１）：表示入力階調の複数階調で白色画面を表示して白色輝度及びＲＧＢ各色の２次単色相対輝度を求める。基本的な処理方法はステップ２５と同様であり、詳細な説明は省略する。
【００９０】
ステップ３２（Ｓ３２）：２次単色画面輝度を基準にしてＲＧＢ各色の２次単色相対輝度を表示入力階調についてそれぞれ正規化し、正規化したＲＧＢ各色の２次単色相対輝度の割合を用いてステップ３１で求めた白色輝度を比例配分することにより表示入力階調の複数階調での単色輝度を算出し、表示入力階調に対応する表示出力階調を適用してＲＧＢ各色の２次表示出力階調対単色輝度相関特性を求める。基本的な処理方法はステップ２６と同様であり、詳細な説明は省略する。基本的な処理方法はステップ２５と同様であり、詳細な説明は省略する。
【００９１】
ステップ３３（Ｓ３３）：予め設定されている目標γ値と、予め設定されている表示入力階調が最大階調Ｌ２５５のときの目標輝度（ＴＹｍａｘ）及び表示入力階調が最小階調Ｌ０のときの目標輝度（ＴＹｍｉｎ）とを用いて表示入力階調の複数階調での２次目標白色輝度を算出し、２次表示入力階調対目標白色輝度相関特性を求める。基本的な処理方法はステップ２７と同様であり、詳細な説明は省略する。
【００９２】
ステップ３４（Ｓ３４）：ＲＧＢ各色の２次単色画面輝度の割合を用いて表示入力階調の複数階調での２次目標白色輝度を比例配分することにより表示入力階調の複数階調での目標単色輝度を算出してＲＧＢ各色の２次表示入力階調対目標単色輝度相関特性を求める。基本的な処理方法はステップ２７と同様であり、詳細な説明は省略する。
【００９３】
ステップ３５（Ｓ３５）：表示入力階調の複数階調について、ＲＧＢ各色の２次表示入力階調対目標単色輝度相関特性での目標単色輝度に相当する輝度を示す表示出力階調を２次表示出力階調対単色輝度相関特性から較正用表示出力階調として求め、該較正用表示出力階調を表示入力階調に対応させてＲＧＢ各色のＬＵＴ１３（ＬＵＴ１３Ｒ、ＬＵＴ１３Ｇ、ＬＵＴ１３Ｂ）を較正する。基本的な処理方法はステップ２７と同様であり、詳細な説明は省略する。
【００９４】
実施の形態３．
本実施の形態に用いる基本構成は実施の形態２と同様であるので、説明は省略する。図９は本発明の実施の形態３に係る表示特性較正方法を実行するときのフローチャートである。まず、ＰＣ２０に液晶モニタ１０、光学センサ３０を接続して変換テーブル較正プログラムを起動する。その後、実施の形態２の場合と同様に以下のステップを実行する。なお、以下のステップにおいて、ステップの順はこれに限るものではなく、また必要に応じて、あるステップが他のステップと同時並行的に処理されることもある。ステップ２１（Ｓ２１）〜ステップ２９（Ｓ２９）は、実施の形態２の図８と同様であり、説明は省略する。
【００９５】
ステップ２９を終了したときの状況は上述したとおりである。つまり、ステップ２９で求めたＬＵＴ１３は、近似を用いて加法混色が成立することを前提にしているため、輝度と色度にズレ（特に輝度）を生じる。例えば、ステップ２６で求めた１次表示出力階調対単色輝度相関特性は、各色が独立しているという前提で算出しているが、実際にはＬＣＤパネル１１では、ＲＧＢ各色に相互関係（例えば、Ｒの輝度はＧ、Ｂの輝度に影響される）がある。色度のズレは輝度のズレに比較して少ないことから、本実施の形態では輝度のみを再度調整するために以下のステップをさらに追加する。
【００９６】
ステップ４１（Ｓ４１）：表示入力階調Ｌの複数階調で白色画面を表示して白色輝度Ｙｗｉを測定する。基本的な処理方法はステップ２５の一部と同様であり、詳細な説明は省略する。
【００９７】
ステップ４２（Ｓ４２）：表示入力階調Ｌに対応する表示出力階調を適用して表示出力階調対白色輝度相関特性（表示出力階調Ｐ：白色輝度Ｙｗｉ）を求める。基本的な処理方法はステップ２６と略同様であるが、１次表示出力階調対単色輝度相関特性（表示出力階調Ｐ：単色輝度Ｙｃｒｉ，Ｙｃｇｉ，Ｙｃｂｉ）での１次単色輝度（Ｙｃｒｉ，Ｙｃｇｉ，Ｙｃｂｉ）の代わりにステップ４１で求めた白色輝度Ｙｗｉを用いる点が異なる。つまり、輝度のみを用いて較正を行うものである。
【００９８】
ステップ４３（Ｓ４３）：予め設定されている目標γ値と、予め設定されている表示入力階調が最大階調Ｌ２５５のときの目標輝度（ＴＹｍａｘ）及び表示入力階調が最小階調Ｌ０のときの目標輝度（ＴＹｍｉｎ）とを用いて表示入力階調の複数階調での２次目標白色輝度を算出し、２次表示入力階調対目標白色輝度相関特性を求める。基本的な処理方法はステップ３３と同様であり、詳細な説明は省略する。
【００９９】
ステップ４４（Ｓ４４）：表示入力階調の複数階調について、２次表示入力階調対白色輝度相関特性での２次目標白色輝度に相当する輝度を示す表示出力階調Ｐを表示出力階調対白色輝度相関特性から較正用表示出力階調として求め、該較正用表示出力階調を表示入力階調Ｌに対応させてＲＧＢ各色の変換テーブルを較正するＬＵＴ１３（ＬＵＴ１３Ｒ、ＬＵＴ１３Ｇ、ＬＵＴ１３Ｂ）を較正する。基本的な処理方法はステップ３５と同様であり、詳細な説明は省略する。なお、本実施の形態では、表示入力階調Ｌの最大階調Ｌ（２５５，２５５，２５５）、最小階調Ｌ（０，０，０）についても、目標値を設定しているので、表示入力階調Ｌ（２５５，２５５，２５５）〜Ｌ（０，０，０）に対応する表示出力階調Ｐが求まる。
【０１００】
実施例２、実施例３において、光学センサ３０は画面の輝度、色度を測定できるものでもよい。この場合はステップ２４（Ｓ２４）からステップ２６（Ｓ２６）は、以降に記載するように変更される。
【０１０１】
ステップ２４（Ｓ２４）：ＲＧＢ各色のゲイン定数Ｇａを設定した後、ＲＧＢ各色の単色画面を表示してＲＧＢ各色の１次単色画面輝度（単色画面輝度ＹＲ、ＹＧ、ＹＢ）と単色色度（ｘＲ，ｙＲ）、（ｘＧ，ｙＧ）、（ｘＢ，ｙＢ）を測定する。単色画面の表示は表示入力階調Ｌを、Ｒ表示の場合はＬ（２５５，０，０）、Ｇ表示の場合はＬ（０，２５５，０）、Ｂ表示の場合はＬ（０，０，２５５）とすることにより行う。
【０１０２】
ステップ２５（Ｓ２５）：ゲイン定数Ｇａを設定した後、表示入力階調の複数階調で白色画面を表示して白色輝度（表示入力階調Ｌの階調をｉで示すと、白色輝度Ｙｗｉ）及び白色度（ｘＷｉ，ｙＷｉ）を測定する。なお、白色度（ｘＷｉ，ｙＷｉ）は白色度（ｘｉ，ｙｉ）と等価であるが、処理ステップの相違を示すために表現を変えたものである。
【０１０３】
ステップ２６（Ｓ２６）：１次単色画面輝度（ＹＲ、ＹＧ、ＹＢ）と単色色度（ｘＲ，ｙＲ）、（ｘＧ，ｙＧ）、（ｘＢ，ｙＢ）、ｉ階調時の白色輝度Ｙｗｉ、白色度（ｘＷｉ，ｙＷｉ）を用いて、周知の演算式に基づいてＲＧＢ各色の表示入力階調Ｌの複数階調での単色輝度（Ｙｃｒｉ，Ｙｃｇｉ，Ｙｃｂｉ）を計算する。表示入力階調Ｌに対応する表示出力階調Ｐを適用してＲＧＢ各色の１次表示出力階調対単色輝度相関特性（表示出力階調Ｐ：単色輝度Ｙｃｒｉ，Ｙｃｇｉ，Ｙｃｂｉ）を求める。
【図面の簡単な説明】
【０１０４】
【図１】本発明の実施の形態１に係る表示特性較正方法を実現するための概略ブロック図を示す。
【図２】本発明の実施の形態に用いるコンピュータの概略構成を示すブロック図である。
【図３】本発明の実施の形態１に係る表示特性較正方法を実行するときのフローチャートである。
【図４】本発明の実施の形態１で求める１次表示出力階調対単色輝度相関特性を示す説明図である。
【図５】本発明の実施の形態１で求める１次表示入力階調対目標白色輝度相関特性及び１次表示入力階調対目標単色輝度相関特性を示す説明図である。
【図６】本発明の実施の形態１で求める較正用表示出力階調によりＬＵＴを較正する状態を示す説明図である。
【図７】本発明の実施の形態２に係る表示特性較正方法を実現するための要部ブロック図を示す。
【図８】本発明の実施の形態２に係る表示特性較正方法を実行するときのフローチャートである。
【図９】本発明の実施の形態３に係る表示特性較正方法を実行するときのフローチャートである。
【符号の説明】
【０１０５】
１０  液晶モニタ
１１  ＬＣＤパネル
１２  変換部
１３  ＬＵＴ（変換テーブル）
１４  モニタ通信部
１５  光源制御部
１６  光源
１７  ゲイン調整部
２０  ＰＣ（コンピュータ）
２１  ＣＰＵ（制御部）
２２  プログラム記憶部
２５  記憶媒体
３０  光学センサ
Ｉｗ  光源電流
Ｌ  表示入力階調
Ｐ  表示出力階調
【図１】
2005128254.tif 000003
【図２】
2005128254.tif 000004
【図３】
2005128254.tif 000005
【図４】
2005128254.tif 000006
【図５】
2005128254.tif 000007
【図６】
2005128254.tif 000008
【図７】
2005128254.tif 000009
【図８】
2005128254.tif 000010
【図９】
2005128254.tif 000011